(57)【要約】【課題】光ピックアップ装置、並びに光ディスク装置に備えられる光学部材駆動装置の振動を減らして光スポットの収差補正を高速化させる。【解決手段】光学部材１０が取り付けられる保持部材２０と、保持部材２０を駆動可能な駆動部組立体２００と、保持部材２０と駆動部組立体２００とを連結する連結部材５０と、保持部材２０または駆動部組立体２００の何れか一方または両方と連結部材５０とを繋ぐ接合部材４０と、を少なくとも備える光学部材駆動装置１、それを備える光ピックアップ装置、並びにそれを備える光ディスク装置に関する。連結部材５０として、金属製の板ばね部材５０が用いられ、接合部材４０として、重合体製の接着剤４０が用いられることにより、駆動部組立体２００の振動が光学部材１０を有する保持部材２０に略そのまま伝えられるということが回避され易くなり、光スポットの収差補正が迅速に行われ易くなる。【選択図】図１
2009080921.tif 000002
【特許請求の範囲】
【請求項１】
光学部材が取り付けられる保持部材と、
該保持部材を駆動可能な駆動部組立体と、
該保持部材と該駆動部組立体とを連結する連結部材と、
該保持部材または該駆動部組立体の何れか一方または両方と該連結部材とを繋ぐ接合部材と、
を少なくとも備える
ことを特徴とする光学部材駆動装置。
【請求項２】
前記連結部材は、
前記保持部材に対応した第一取付部と、
前記駆動部組立体に対応した第二取付部と、
該第一取付部と該第二取付部とを結ぶ中間部と、
を有する
ことを特徴とする請求項１に記載の光学部材駆動装置。
【請求項３】
前記中間部の幅は、前記第一取付部の幅および前記第二取付部の幅よりも狭くされた
ことを特徴とする請求項２に記載の光学部材駆動装置。
【請求項４】
前記駆動部組立体は、
駆動力を発生させる電動機と、
該電動機の該駆動力を伝える送りねじと、
該送りねじに螺合する雌ねじと、
を少なくとも有し、
該雌ねじに前記連結部材が装着された
ことを特徴とする請求項１〜３の何れか１項に記載の光学部材駆動装置。
【請求項５】
前記雌ねじに前記連結部材が装着されるときに合わせられる位置合せ部が該雌ねじに設けられ、
該位置合せ部に対応した相手側位置合せ部が該連結部材に設けられた
ことを特徴とする請求項４に記載の光学部材駆動装置。
【請求項６】
前記雌ねじに前記連結部材が装着されるときに係り合わせられる係合部が該雌ねじに設けられ、
該係合部に対応した係止部が該連結部材に設けられた
ことを特徴とする請求項４又は５に記載の光学部材駆動装置。
【請求項７】
前記雌ねじに対応して前記連結部材に折曲げ加工が行われて該連結部材に抱持部が形成され、
該雌ねじに該抱持部が被せられた
ことを特徴とする請求項４〜６の何れか１項に記載の光学部材駆動装置。
【請求項８】
前記連結部材に対応した固定部が前記保持部材に設けられ、
該固定部に該連結部材が装着された
ことを特徴とする請求項１〜７の何れか１項に記載の光学部材駆動装置。
【請求項９】
前記固定部に前記連結部材を装着させたのちに、前記接合部材を用いて該固定部に該連結部材を固着させるときに、該固定部に該接合部材を塗布させ易くする塗布促進部が該固定部に設けられた
ことを特徴とする請求項８に記載の光学部材駆動装置。
【請求項１０】
前記固定部に前記接合部材が備えられた
ことを特徴とする請求項８又は９に記載の光学部材駆動装置。
【請求項１１】
前記連結部材として、金属製の板ばね部材が用いられた
ことを特徴とする請求項１〜１０の何れか１項に記載の光学部材駆動装置。
【請求項１２】
前記接合部材として、重合体製の接着剤が用いられた
ことを特徴とする請求項１〜１１の何れか１項に記載の光学部材駆動装置。
【請求項１３】
請求項１〜１２の何れか１項に記載の光学部材駆動装置を備えることを特徴とする光ピックアップ装置。
【請求項１４】
請求項１〜１３の何れか１項に記載の光学部材駆動装置を備えることを特徴とする光ディスク装置。
【発明の詳細な説明】
【技術分野】
【０００１】
本発明は、光学部材駆動装置、それを備える光ピックアップ装置、並びにそれを備える光ディスク装置に関するものである。
【背景技術】
【０００２】
「Blu-ray Disc」（登録商標）や「ＨＤ  ＤＶＤ」（登録商標）（High Definition DVD）等の青紫色レーザ光／レーザ（LASER：light amplification by stimulated emission
of radiation）に対応した大容量光ディスクが市場に投入されている。ＣＤ（Compact Disc）（商標）やＤＶＤ（登録商標）（Digital Versatile Disc）等の従来の光ディスクに対し、「Blu-ray Disc」や「ＨＤ  ＤＶＤ」等の大容量光ディスクにおいては、例えば高密度多層化技術が略確立されて高密度多層化技術がさらに向上されたことが大きな特徴とされている。
【０００３】
多層ディスクについて記載された文献を紹介すると、例えば、ディスクの記憶容量を減らすことなく、また、信号を記録するＲＡＭ部への記録可能となる時間を短縮させ、さらに各ＲＡＭ部やＲＯＭ部の層間に塵芥などが混入する恐れをなくし、大容量で高速かつ安定した信号の記録再生消去を可能とさせた光ディスクが記載の特許公開公報が挙げられる（例えば、特許文献１参照。）。
【０００４】
「ＲＡＭ」は、「Random Access Memory」の略称とされている。また、「ＲＯＭ」は、「Read Only Memory」の略称とされている。
【０００５】
多層化された光ディスクにレーザ光が照射されるときに、例えば光ディスクを構成するカバー層の厚さの違い等により、光ディスクの信号層に照射されるレーザ光のスポットに球面収差が生じる。収差とは、例えばレンズなどを通る光線が正しく一点に集められず、不完全な像ができることを意味する。例えば球面収差とは、光軸上で光線が一点に集められない現象を意味する。
【０００６】
球面収差対策について記載された文献を紹介すると、例えば、記録層が１層若しくは多層の記録可能な光ディスクの記録時にもカバー層の厚さの違いによる球面収差の補正が行え、更に、光ディスクを装填する度に球面収差補正の最適位置を求める動作を行う必要のない光ディスク記録再生方法について記載された特許公開公報が挙げられる（例えば、特許文献２参照。）。
【０００７】
光学ヘッド装置いわゆる光ピックアップ装置における一般的な球面収差補正機構として、例えばＤＣモータ等のモータを用いて、レーザ光を平行光にさせたり拡散光にさせたり集束光にさせたりするコリメータレンズを駆動させる機構が挙げられる。
【０００８】
ＤＣモータ等のモータを用いてコリメータレンズを駆動させる機構が紹介された文献として、例えば、開口数ＮＡ（Numerical Aperture）を大きくしても球面収差を抑えることが可能な光学ヘッド並びに記録及び／又は再生装置や、開口数ＮＡを大きくしても球面収差を抑えることが可能な記録及び／又は再生方法や、記録層上に光透過層が形成されてなる情報記録媒体の光透過層の厚みを簡便に検出することのできる厚み検出方法について記載された特許公開公報が挙げられる（例えば、特許文献３参照。）。
【０００９】
開口数とは、例えば光学器械で対物レンズの有効半径（入射ひとみの半径）を物点から
見る角の正弦と、入射側の媒質の屈折率との積をいう。開口数は、例えば対物レンズの性能を表すときに用いられる。
【特許文献１】特開平９−１８０２５７号公報（第４頁、第１−１０図）
【特許文献２】特開２００６−３０２４２０号公報（第１，３頁、第１−６図）
【特許文献３】特開平１１−２５９９０６号公報（第３，１５頁、第１２，１３図）
【発明の開示】
【発明が解決しようとする課題】
【００１０】
しかしながら、多層化された光ディスクに対して光ピックアップ装置に正確で迅速に対応させるために、光ピックアップ装置に幾つかの問題が課せられることとなった。例えば、多層化された光ディスクの信号層にレーザ光を照射させるときに、多層化によって光ディスクの層間で発生する球面収差を光ピックアップ装置でいかに素早く補正させるべきかということが懸案事項となった。
【００１１】
例えば、モータとコリメータレンズとを備える光ピックアップ装置が用いられて、光ディスクの信号層にレーザ光を照射させる場合、モータを使用してコリメータレンズを駆動させるときに、モータの動作中にモータから振動が常時コリメータレンズに伝達される。例えばモータに停止指示信号を送信させてモータを停止させても、モータからコリメータレンズに伝達されている振動等の影響により、コリメータレンズは、僅かな時間差をおいて振動し続けたのちに静止する。コリメータレンズが静止するまでに、例えば数十ｍｓｅｃ（ミリセコンド）〜略５０ｍｓｅｃ程度の時間が経過されないと、光ピックアップ装置は、光ディスクの信号層に記録された信号を安定して読むことができないという問題が生じていた。
【００１２】
コリメータレンズが静止するまでにある程度待たされると、例えば光ピックアップ装置を備える光ディスク装置に多層化された光ディスクが備えられてスピーディーなゲームが行われているときに、スピーディーなゲームの進行中に度々待たされ、その結果、スピーディーなゲーム進行が円滑に行われ難くなることが懸念されていた。
【００１３】
例えばスピーディーなゲームソフトが記録されている多層化光ディスクが光ピックアップ装置を有する光ディスク装置に備えられてゲームが行われているときに、光ディスクの各信号層に対し、光ピックアップ装置から出射されるレーザ光の光スポットの層間ジャンプが頻繁に行われる。これに対応するために、光ディスクの各信号層に対する光ピックアップ装置の光スポットの収差補正をより高速化させる必要性が生じてきた。
【００１４】
多層化光ディスクの各信号層に対して光ピックアップ装置から出射されるレーザ光の光スポットの層間ジャンプが頻繁に行われるときに、多層化光ディスクの各信号層に対する光ピックアップ装置の光スポットの収差補正をより高速化させるために、例えばモータをより高速で駆動させてコリメータレンズをより高速で駆動させる案が考えられた。
【００１５】
しかしながら、モータを高速駆動させてコリメータレンズを高速駆動させても、モータ停止後に、モータから伝えられた振動によるコリメータレンズの振動が低減化されるまでには、ある程度待たされるというのが実情であり、結果として、多層化光ディスクに対する光ピックアップ装置の収差補正の高速化は実現されなかった。
【００１６】
また、無理にモータを高速駆動させて、無理やりコリメータレンズを高速駆動させると、コリメータレンズ動作時に異音が生じることとなった。また、モータやコリメータレンズ等の高速駆動化により、モータ等の駆動部材やコリメータレンズ等の光学部材を備える光ピックアップ装置の耐久性に問題が生じることも懸念される。
【００１７】
光ディスクの各信号層に対しレーザ光の光スポットの層間ジャンプが頻繁に行われても、多層化光ディスクの各信号層に照射される光スポットの収差補正を高速に対応可能な収差補正機構を有する光学部材駆動装置や、そのような光学部材駆動装置を備える光ピックアップ装置が要求されている。また、耐久性や信頼性も併せて向上させた光学部材駆動装置や、耐久性や信頼性も併せて向上させた光学部材駆動装置を備える光ピックアップ装置が要求されている。
【００１８】
本発明は、上記した問題点を解決することにある。本発明は、上記した点に鑑み、振動を減らして光スポットの収差補正を高速化させた光学部材駆動装置、それを備える光ピックアップ装置、並びにそれを備える光ディスク装置を提供することを目的とする。
【課題を解決するための手段】
【００１９】
上記目的を達成するために、本発明の請求項１に係る光学部材駆動装置は、光学部材が取り付けられる保持部材と、該保持部材を駆動可能な駆動部組立体と、該保持部材と該駆動部組立体とを連結する連結部材と、該保持部材または該駆動部組立体の何れか一方または両方と該連結部材とを繋ぐ接合部材と、を少なくとも備えることを特徴とする。
【００２０】
上記構成により、駆動部組立体の振動が光学部材を有する保持部材に略そのまま伝えられるということは回避され易くなる。光学部材が取り付けられた保持部材と、保持部材を駆動可能な駆動部組立体とは、連結部材によって連結されるので、駆動部組立体が駆動しているときや駆動停止した直後に、駆動部組立体から連結部材を介して光学部材を有する保持部材に伝えられる振動は、連結部材によりある程度減衰され易くなる。また、光学部材を有する保持部材または駆動部組立体の何れか一方または両方と、連結部材とは、接合部材によって繋げられるので、駆動部組立体が駆動しているときや駆動停止した直後に、駆動部組立体から連結部材を介して光学部材を有する保持部材に伝えられる振動は、接合部材により略無くされ易くなる。光学部材を有する保持部材に伝えられる振動が略無くされるので、駆動部組立体が停止したのちに、光学部材を有する保持部材が振動し続けるということは回避され易くなる。駆動部組立体が停止したのちに光学部材を有する保持部材に振動が殆ど残らないので、光スポットの収差補正は迅速に行われ易くなる。
【００２１】
請求項２に係る光学部材駆動装置は、請求項１に記載の光学部材駆動装置において、前記連結部材は、前記保持部材に対応した第一取付部と、前記駆動部組立体に対応した第二取付部と、該第一取付部と該第二取付部とを結ぶ中間部と、を有することを特徴とする。
【００２２】
上記構成により、駆動部組立体の振動が連結部材を介して光学部材を有する保持部材に略そのまま伝えられるということは回避され易くなる。駆動部組立体が駆動しているときや駆動停止した直後に、駆動部組立体から連結部材を介して光学部材を有する保持部材に伝えられる振動は、保持部材に対応した第一取付部と、駆動部組立体に対応した第二取付部とを結ぶ中間部によりある程度減衰される。
【００２３】
請求項３に係る光学部材駆動装置は、請求項２に記載の光学部材駆動装置において、前記中間部の幅は、前記第一取付部の幅および前記第二取付部の幅よりも狭くされたことを特徴とする。
【００２４】
上記構成により、駆動部組立体の振動が連結部材を介して光学部材を有する保持部材に略そのまま伝えられるということは回避される。保持部材に対応した連結部材を構成する第一取付部と、駆動部組立体に対応した連結部材を構成する第二取付部とを結ぶ連結部材の中間部の幅は、連結部材の第一取付部の幅および連結部材の第二取付部の幅よりも狭くされていることから、駆動部組立体が駆動しているときや駆動停止した直後に、駆動部組立体から連結部材を介して光学部材を有する保持部材に伝えられる振動は、連結部材の中
間部にて減衰され易くなる。
【００２５】
請求項４に係る光学部材駆動装置は、請求項１〜３の何れか１項に記載の光学部材駆動装置において、前記駆動部組立体は、駆動力を発生させる電動機と、該電動機の該駆動力を伝える送りねじと、該送りねじに螺合する雌ねじと、を少なくとも有し、該雌ねじに前記連結部材が装着されたことを特徴とする。
【００２６】
上記構成により、駆動部組立体の電動機から生じた振動が送りねじと雌ねじと連結部材とを介して光学部材を有する保持部材に略そのまま伝えられるということは回避され易くなる。駆動部組立体の電動機が駆動しているときや駆動停止した直後に、駆動部組立体の電動機から生じた振動は、送りねじと雌ねじとに伝えられたのちに、雌ねじに装着された連結部材によりある程度減衰される。また、駆動部組立体の電動機が駆動しているときや駆動停止した直後に、駆動部組立体の電動機から生じた振動は、送りねじと雌ねじと連結部材とに伝えられたのちに、光学部材を有する保持部材と、連結部材とを繋ぐ接合部材により略無くされる。または、駆動部組立体の電動機が駆動しているときや駆動停止した直後に、駆動部組立体の電動機から生じた振動は、送りねじと雌ねじとに伝えられたのちに、駆動部組立体を構成する雌ねじと、連結部材とを繋ぐ接合部材により減衰される。
【００２７】
請求項５に係る光学部材駆動装置は、請求項４に記載の光学部材駆動装置において、前記雌ねじに前記連結部材が装着されるときに合わせられる位置合せ部が該雌ねじに設けられ、該位置合せ部に対応した相手側位置合せ部が該連結部材に設けられたことを特徴とする。
【００２８】
上記構成により、光学部材駆動装置の信頼性が向上される。雌ねじに連結部材が装着されるときに、雌ねじに設けられた位置合せ部に、連結部材に設けられた相手側位置合せ部が合わせられるので、駆動部組立体の電動機を高速で駆動させ、これに伴って、電動機に続く送りねじと、送りねじに螺合する雌ねじと、雌ねじに装着された連結部材とを介して、光学部材が取り付けられた保持部材を高速で駆動させても、駆動部組立体を構成する雌ねじの位置合せ部から連結部材の相手側位置合せ部が不用意に外れるといった不具合の発生は回避される。雌ねじに設けられた位置合せ部に、連結部材に設けられた相手側位置合せ部が確実に合わせられることにより、連結部材は、雌ねじに確実に装着される。
【００２９】
請求項６に係る光学部材駆動装置は、請求項４又は５に記載の光学部材駆動装置において、前記雌ねじに前記連結部材が装着されるときに係り合わせられる係合部が該雌ねじに設けられ、該係合部に対応した係止部が該連結部材に設けられたことを特徴とする。
【００３０】
上記構成により、光学部材駆動装置の信頼性が向上される。雌ねじの係合部に対応した連結部材の係止部が雌ねじの係合部に係り合わせられて、連結部材が駆動部組立体を構成する雌ねじに装着されているので、駆動部組立体により、連結部材を介して光学部材が取り付けられた保持部材を高速で駆動させても、駆動部組立体を構成する雌ねじの係合部から連結部材の係止部が不用意に外れるといった不具合の発生は回避される。雌ねじの係合部に対応した連結部材の係止部が雌ねじの係合部に確実に係り合わせられることにより、連結部材は、雌ねじに確実に装着される。
【００３１】
請求項７に係る光学部材駆動装置は、請求項４〜６の何れか１項に記載の光学部材駆動装置において、前記雌ねじに対応して前記連結部材に折曲げ加工が行われて該連結部材に抱持部が形成され、該雌ねじに該抱持部が被せられたことを特徴とする。
【００３２】
上記構成により、光学部材駆動装置の信頼性が向上される。雌ねじに対応して連結部材に折曲げ加工が行われて形成された連結部材の抱持部が雌ねじに被せられているので、駆
動部組立体により、連結部材を介して光学部材が取り付けられた保持部材を高速で駆動させても、駆動部組立体を構成する雌ねじから連結部材の抱持部が不用意に外れるといった不具合の発生は回避される。雌ねじに対応して折曲げ加工が行われて連結部材に形成された抱持部が雌ねじに確実に被せられることにより、連結部材は、雌ねじに確実に装着される。
【００３３】
請求項８に係る光学部材駆動装置は、請求項１〜７の何れか１項に記載の光学部材駆動装置において、前記連結部材に対応した固定部が前記保持部材に設けられ、該固定部に該連結部材が装着されたことを特徴とする。
【００３４】
上記構成により、光学部材駆動装置の信頼性が向上される。連結部材に対応した保持部材の固定部に連結部材が装着されているので、駆動部組立体により、連結部材を介して光学部材が取り付けられた保持部材を高速で駆動させても、光学部材を有する保持部材の固定部から連結部材が不用意に外れるといった不具合の発生は回避される。連結部材に対応した保持部材の固定部に連結部材が確実に装着されることにより、連結部材は、保持部材に確実に装着される。
【００３５】
請求項９に係る光学部材駆動装置は、請求項８に記載の光学部材駆動装置において、前記固定部に前記連結部材を装着させたのちに、前記接合部材を用いて該固定部に該連結部材を固着させるときに、該固定部に該接合部材を塗布させ易くする塗布促進部が該固定部に設けられたことを特徴とする。
【００３６】
上記構成により、駆動部組立体が停止したのちに振動が僅かな間保持部材に残るということは回避され易くなる。保持部材の固定部に接合部材を塗布させ易くする塗布促進部が保持部材の固定部に設けられているので、保持部材の固定部に十分な量の接合部材が塗布される。保持部材に設けられた固定部に連結部材を装着させたのちに、接合部材を用いて保持部材に連結部材を固着させるときに、例えば接合部材の塗布量が不足し、これが原因で接合部材にて振動が十分に吸収されず、その結果、駆動部組立体から連結部材を介して光学部材を有する保持部材に伝えられる振動が十分に抑えられないという不具合の発生は回避され易くなる。
【００３７】
請求項１０に係る光学部材駆動装置は、請求項８又は９に記載の光学部材駆動装置において、前記固定部に前記接合部材が備えられたことを特徴とする。
【００３８】
上記構成により、駆動部組立体から連結部材を介して光学部材を有する保持部材に伝えられる振動は、接合部材により略無くされ易くなる。保持部材の固定部に備えられた接合部材が駆動部組立体から生じた振動を適度に吸収するので、光学部材を有する保持部材に伝えられる振動は、接合部材により略無くされることとなる。
【００３９】
請求項１１に係る光学部材駆動装置は、請求項１〜１０の何れか１項に記載の光学部材駆動装置において、前記連結部材として、金属製の板ばね部材が用いられたことを特徴とする。
【００４０】
上記構成により、駆動部組立体が停止したのちに振動が僅かな間保持部材に残るということは回避され易くなる。駆動部組立体が駆動しているときや駆動停止した直後に、駆動部組立体から連結部材を介して光学部材を有する保持部材に伝えられる振動は、金属製の板ばね部材により確実に減衰される。
【００４１】
請求項１２に係る光学部材駆動装置は、請求項１〜１１の何れか１項に記載の光学部材駆動装置において、前記接合部材として、重合体製の接着剤が用いられたことを特徴とす
る。
【００４２】
上記構成により、駆動部組立体が停止したのちに振動が僅かな間保持部材に残るということは回避される。駆動部組立体が駆動しているときや駆動停止した直後に、駆動部組立体から連結部材を介して光学部材を有する保持部材に伝えられる振動は、光学部材を有する保持部材または駆動部組立体の何れか一方または両方と、連結部材とを繋ぐ重合体製の接着剤により、確実に吸収される。
【００４３】
請求項１３に係る光ピックアップ装置は、請求項１〜１２の何れか１項に記載の光学部材駆動装置を備えることを特徴とする。
【００４４】
上記構成により、多層化光ディスクの各信号層に照射される光スポットの層間ジャンプを迅速に実行可能な光ピックアップ装置が実現される。光ピックアップ装置から多層化光ディスクの何れかの信号層に光を照射させて多層化光ディスクの何れかの信号層に光スポットを形成させるときに、頻繁に光スポットの層間ジャンプを実行させても、多層化光ディスクの各信号層に照射される光スポットの収差補正は迅速に行われ易くなる。
【００４５】
請求項１４に係る光ディスク装置は、請求項１〜１３の何れか１項に記載の光学部材駆動装置を備えることを特徴とする。
【００４６】
上記構成により、多層化光ディスクの各信号層に照射される光スポットの層間ジャンプを迅速に実行可能な光ディスク装置が実現される。光ディスク装置から多層化光ディスクの何れかの信号層に光を照射させて多層化光ディスクの何れかの信号層に光スポットを形成させるときに、頻繁に光スポットの層間ジャンプを実行させても、多層化光ディスクの各信号層に照射される光スポットの収差補正は迅速に行われ易くなる。
【発明の効果】
【００４７】
以上の如く、請求項１に記載の発明によれば、駆動部組立体の振動が光学部材を有する保持部材に略そのまま伝えられるということを回避させ易くすることができる。光学部材が取り付けられた保持部材と、保持部材を駆動可能な駆動部組立体とは、連結部材によって連結されるので、駆動部組立体が駆動しているときや駆動停止した直後に、駆動部組立体から連結部材を介して光学部材を有する保持部材に伝えられる振動は、連結部材によりある程度減衰され易くなる。また、光学部材を有する保持部材または駆動部組立体の何れか一方または両方と、連結部材とは、接合部材によって繋げられるので、駆動部組立体が駆動しているときや駆動停止した直後に、駆動部組立体から連結部材を介して光学部材を有する保持部材に伝えられる振動は、接合部材により略無くされ易くなる。光学部材を有する保持部材に伝えられる振動が略無くされるので、駆動部組立体が停止したのちに、光学部材を有する保持部材が振動し続けるということは回避され易くなる。駆動部組立体が停止したのちに光学部材を有する保持部材に振動が殆ど残らないので、光スポットの収差補正は迅速に行われ易くなる。
【００４８】
請求項２に記載の発明によれば、駆動部組立体の振動が連結部材を介して光学部材を有する保持部材に略そのまま伝えられるということを回避させ易くすることができる。駆動部組立体が駆動しているときや駆動停止した直後に、駆動部組立体から連結部材を介して光学部材を有する保持部材に伝えられる振動は、保持部材に対応した第一取付部と、駆動部組立体に対応した第二取付部とを結ぶ中間部によりある程度減衰される。
【００４９】
請求項３に記載の発明によれば、駆動部組立体の振動が連結部材を介して光学部材を有する保持部材に略そのまま伝えられるということを回避させることができる。保持部材に対応した連結部材を構成する第一取付部と、駆動部組立体に対応した連結部材を構成する
第二取付部とを結ぶ連結部材の中間部の幅は、連結部材の第一取付部の幅および連結部材の第二取付部の幅よりも狭くされていることから、駆動部組立体が駆動しているときや駆動停止した直後に、駆動部組立体から連結部材を介して光学部材を有する保持部材に伝えられる振動は、連結部材の中間部にて減衰され易くなる。
【００５０】
請求項４に記載の発明によれば、駆動部組立体の電動機から生じた振動が送りねじと雌ねじと連結部材とを介して光学部材を有する保持部材に略そのまま伝えられるということを回避させ易くすることができる。駆動部組立体の電動機が駆動しているときや駆動停止した直後に、駆動部組立体の電動機から生じた振動は、送りねじと雌ねじとに伝えられたのちに、雌ねじに装着された連結部材によりある程度減衰される。また、駆動部組立体の電動機が駆動しているときや駆動停止した直後に、駆動部組立体の電動機から生じた振動は、送りねじと雌ねじと連結部材とに伝えられたのちに、光学部材を有する保持部材と、連結部材とを繋ぐ接合部材により略無くされる。または、駆動部組立体の電動機が駆動しているときや駆動停止した直後に、駆動部組立体の電動機から生じた振動は、送りねじと雌ねじとに伝えられたのちに、駆動部組立体を構成する雌ねじと、連結部材とを繋ぐ接合部材により減衰される。
【００５１】
請求項５に記載の発明によれば、光学部材駆動装置の信頼性を向上させることができる。雌ねじに連結部材が装着されるときに、雌ねじに設けられた位置合せ部に、連結部材に設けられた相手側位置合せ部が合わせられるので、駆動部組立体の電動機を高速で駆動させ、これに伴って、電動機に続く送りねじと、送りねじに螺合する雌ねじと、雌ねじに装着された連結部材とを介して、光学部材が取り付けられた保持部材を高速で駆動させても、駆動部組立体を構成する雌ねじの位置合せ部から連結部材の相手側位置合せ部が不用意に外れるといった不具合の発生は回避される。雌ねじに設けられた位置合せ部に、連結部材に設けられた相手側位置合せ部が確実に合わせられることにより、連結部材は、雌ねじに確実に装着される。
【００５２】
請求項６に記載の発明によれば、光学部材駆動装置の信頼性を向上させることができる。雌ねじの係合部に対応した連結部材の係止部が雌ねじの係合部に係り合わせられて、連結部材が駆動部組立体を構成する雌ねじに装着されているので、駆動部組立体により、連結部材を介して光学部材が取り付けられた保持部材を高速で駆動させても、駆動部組立体を構成する雌ねじの係合部から連結部材の係止部が不用意に外れるといった不具合の発生は回避される。雌ねじの係合部に対応した連結部材の係止部が雌ねじの係合部に確実に係り合わせられることにより、連結部材は、雌ねじに確実に装着される。
【００５３】
請求項７に記載の発明によれば、光学部材駆動装置の信頼性を向上させることができる。雌ねじに対応して連結部材に折曲げ加工が行われて形成された連結部材の抱持部が雌ねじに被せられているので、駆動部組立体により、連結部材を介して光学部材が取り付けられた保持部材を高速で駆動させても、駆動部組立体を構成する雌ねじから連結部材の抱持部が不用意に外れるといった不具合の発生は回避される。雌ねじに対応して折曲げ加工が行われて連結部材に形成された抱持部が雌ねじに確実に被せられることにより、連結部材は、雌ねじに確実に装着される。
【００５４】
請求項８に記載の発明によれば、光学部材駆動装置の信頼性を向上させることができる。連結部材に対応した保持部材の固定部に連結部材が装着されているので、駆動部組立体により、連結部材を介して光学部材が取り付けられた保持部材を高速で駆動させても、光学部材を有する保持部材の固定部から連結部材が不用意に外れるといった不具合の発生は回避される。連結部材に対応した保持部材の固定部に連結部材が確実に装着されることにより、連結部材は、保持部材に確実に装着される。
【００５５】
請求項９に記載の発明によれば、駆動部組立体が停止したのちに振動が僅かな間保持部材に残るということを回避させ易くすることができる。保持部材の固定部に接合部材を塗布させ易くする塗布促進部が保持部材の固定部に設けられているので、保持部材の固定部に十分な量の接合部材が塗布される。保持部材に設けられた固定部に連結部材を装着させたのちに、接合部材を用いて保持部材に連結部材を固着させるときに、例えば接合部材の塗布量が不足し、これが原因で接合部材にて振動が十分に吸収されず、その結果、駆動部組立体から連結部材を介して光学部材を有する保持部材に伝えられる振動が十分に抑えられないという不具合の発生は回避され易くなる。
【００５６】
請求項１０に記載の発明によれば、駆動部組立体から連結部材を介して光学部材を有する保持部材に伝えられる振動は、接合部材により略無くされ易くなる。保持部材の固定部に備えられた接合部材が駆動部組立体から生じた振動を適度に吸収するので、光学部材を有する保持部材に伝えられる振動は、接合部材により略無くされる。
【００５７】
請求項１１に記載の発明によれば、駆動部組立体が停止したのちに振動が僅かな間保持部材に残るということを回避させ易くすることができる。駆動部組立体が駆動しているときや駆動停止した直後に、駆動部組立体から連結部材を介して光学部材を有する保持部材に伝えられる振動は、金属製の板ばね部材により確実に減衰される。
【００５８】
請求項１２に記載の発明によれば、駆動部組立体が停止したのちに振動が僅かな間保持部材に残るということを回避させることができる。駆動部組立体が駆動しているときや駆動停止した直後に、駆動部組立体から連結部材を介して光学部材を有する保持部材に伝えられる振動は、光学部材を有する保持部材または駆動部組立体の何れか一方または両方と、連結部材とを繋ぐ重合体製の接着剤により、確実に吸収される。
【００５９】
請求項１３に記載の発明によれば、多層化光ディスクの各信号層に照射される光スポットの層間ジャンプを迅速に実行可能な光ピックアップ装置が実現可能となる。光ピックアップ装置から多層化光ディスクの何れかの信号層に光を照射させて多層化光ディスクの何れかの信号層に光スポットを形成させるときに、頻繁に光スポットの層間ジャンプを実行させても、多層化光ディスクの各信号層に照射される光スポットの収差補正は迅速に行われ易くなる。
【００６０】
請求項１４に記載の発明によれば、多層化光ディスクの各信号層に照射される光スポットの層間ジャンプを迅速に実行可能な光ディスク装置が実現可能となる。光ディスク装置から多層化光ディスクの何れかの信号層に光を照射させて多層化光ディスクの何れかの信号層に光スポットを形成させるときに、頻繁に光スポットの層間ジャンプを実行させても、多層化光ディスクの各信号層に照射される光スポットの収差補正は迅速に行われ易くなる。
【発明を実施するための最良の形態】
【００６１】
以下に本発明に係る光学部材駆動装置、それを備える光ピックアップ装置、並びにそれを備える光ディスク装置の一実施の形態を図面に基づいて詳細に説明する。
【００６２】
図１は、本発明に係る光学部材駆動装置の一実施の形態を示す分解斜視図、図２は、光学部材駆動装置を示す斜視図である。
【００６３】
図１および図２に示す光学部材駆動装置１は、光学部材駆動装置１の説明をわかり易くさせるために、便宜上、上下逆さまに描かれている。実際に、光学部材駆動装置１や、光学部材駆動装置１を備える光ピックアップ装置（図示せず）や、不図示の光ピックアップ装置を備える光ディスク装置（図示せず）が使用されるときには、図１および図２に示さ
れる状態に対し、例えば主に上下逆さまの状態で使用される。また、光学部材駆動装置１や、光学部材駆動装置１を備える不図示の光ピックアップ装置や、不図示の光ピックアップ装置を備える不図示の光ディスク装置が使用されるときに、例えば略縦置き状態で使用されてもよい（図示せず）。また、例えば、光学部材１０を透過する光の方向Ｌが光軸方向Ｌとされ、送りねじ７０が延長形成される方向Ｓがねじ延長方向Ｓとされ、弾性部材５０が延長形成される方向Ｔが弾性部材延長方向Ｔとされる。なお、この明細書における「上」、「下」、「方向」等の定義は、光学部材駆動装置１、光学部材駆動装置１の連結部材５０の取付構造、光学部材駆動装置１を備える光ピックアップ装置、並びに光ピックアップ装置を備える光ディスク装置を説明するための便宜上の定義とされている。
【００６４】
光学部材駆動装置１を備える不図示の光ピックアップ装置付の光ディスク装置内に、各種光ディスク（図示せず）などの各種メディアが挿入される。メディア（media）とは、例えば、データ、情報、信号などが保存されるディスク等を意味する。不図示の光ディスク装置内に入れられる不図示の各種光ディスクは、略円板状に形成されている。ディスクとして、例えば、「ＣＤ−ＲＯＭ」，「ＤＶＤ−ＲＯＭ」，「ＨＤ  ＤＶＤ−ＲＯＭ」，「ＢＤ−ＲＯＭ」などのデータ読出し専用の光ディスクや、「ＣＤ−Ｒ」，「ＤＶＤ−Ｒ」，「ＤＶＤ＋Ｒ」，「ＨＤ  ＤＶＤ−Ｒ」，「ＢＤ−Ｒ」などのデータ追記型の光ディスクや、「ＣＤ−ＲＷ」，「ＤＶＤ−ＲＷ」，「ＤＶＤ＋ＲＷ」（登録商標），「ＤＶＤ−ＲＡＭ」，「ＨＤ  ＤＶＤ−ＲＷ」，「ＨＤ  ＤＶＤ−ＲＡＭ」，「ＢＤ−ＲＥ」などのデータ書込み／消去やデータ書換え可能なタイプの光ディスクなどが挙げられる。
【００６５】
また、ディスクとして、例えばディスク両面に信号面が設けられ、データ書込み／消去やデータ書換えが可能とされた光ディスク（図示せず）等も挙げられる。また、ディスクとして、例えば二層の信号面が設けられ、データ書込み／消去やデータ書換えが可能とされた光ディスク（図示せず）等も挙げられる。また、例えば三層の信号面が設けられ、データ書込み／消去やデータ書換えが可能とされた「ＨＤ  ＤＶＤ」用光ディスク（図示せず）等も挙げられる。また、例えば四層の信号面が設けられ、データ書込み／消去やデータ書換えが可能とされた「Blu-ray Disc」用光ディスク（図示せず）等も挙げられる。また、例えばディスクのレーベル面側にもレーザ光を照射させてレーベル等の各種書込みを行うことが可能とされた光ディスク（図示せず）等も挙げられる。光ディスクの信号層は、例えば金属薄膜などの金属層等により形成されている。金属薄膜などから形成される信号層に、情報やデータなどが記録される。
【００６６】
また、光ディスク装置は、例えば前記各種ディスクに対応可能とされる。光ディスク装置が用いられて、各種光ディスクに記録された情報などのデータ再生が行われる。また、光ディスク装置が用いられて、各種光ディスクに情報などのデータ記録が行われる。
【００６７】
光ディスク装置内にてデータなどの情報の記録が可能な光ディスクにおいては、光ディスクの信号層に、データ／情報が保存されるためのグルーブ（図示せず）が設けられている。グルーブ（groove）とは、細長いへこみを意味する。円板状光ディスクが平面視されたときに、グルーブは、略螺旋状に形成されている。光ディスクにレーザ光が照射されるときに、レーザ光が照射される信号層側から光ディスクを眺めた場合、グルーブは、渦巻状のものとされている。グルーブは、非常に小さいものとされているので、グルーブは、目視不能とされる。
【００６８】
光ディスクについて説明する。「ＣＤ」は、「Compact Disc」（商標）の略称とされている。また、「ＤＶＤ」（登録商標）は、「Digital Versatile Disc」の略称とされている。また、「ＣＤ−ＲＯＭ」、「ＤＶＤ−ＲＯＭ」及び「ＨＤ  ＤＶＤ−ＲＯＭ」の「ＲＯＭ」は、「Read Only Memory」の略称とされている。また、「ＢＤ−ＲＯＭ」は、「Blu-ray Disc-ROM」の略称とされている。「ＣＤ−ＲＯＭ」、「ＤＶＤ−ＲＯＭ」、「ＨＤ
ＤＶＤ−ＲＯＭ」及び「ＢＤ−ＲＯＭ」は、データ／情報読出し専用のものとされている。また、「ＣＤ−Ｒ」、「ＤＶＤ−Ｒ」、「ＤＶＤ＋Ｒ」及び「ＨＤ  ＤＶＤ−Ｒ」の「Ｒ」は、「Recordable」の略称とされている。また、「ＢＤ−Ｒ」は、「Blu-ray Disc-R」の略称とされている。「ＣＤ−Ｒ」、「ＤＶＤ−Ｒ」、「ＤＶＤ＋Ｒ」、「ＨＤ  ＤＶＤ−Ｒ」及び「ＢＤ−Ｒ」は、データ／情報の書込みが可能なものとされている。また、「ＣＤ−ＲＷ」、「ＤＶＤ−ＲＷ」、「ＤＶＤ＋ＲＷ」及び「ＨＤ  ＤＶＤ−ＲＷ」の「ＲＷ」は、「Re-Writable」の略称とされている。また「ＢＤ−ＲＥ」は、「Blu-ray Disc-RE」の略称とされている。「ＣＤ−ＲＷ」、「ＤＶＤ−ＲＷ」、「ＤＶＤ＋ＲＷ」、「ＨＤ  ＤＶＤ−ＲＷ」及び「ＢＤ−ＲＥ」は、データ／情報の書換えが可能なものとされている。また、「ＤＶＤ−ＲＡＭ」及び「ＨＤ  ＤＶＤ−ＲＡＭ」の「ＲＡＭ」は、「Random Access Memory」の略称とされている。「ＤＶＤ−ＲＡＭ」及び「ＨＤ  ＤＶＤ−ＲＡＭ」は、データ／情報の読書き／消去が可能なものとされている。
【００６９】
また、「ＨＤ  ＤＶＤ」（登録商標）は「High Definition DVD」の略称である。「ＨＤ  ＤＶＤ」は、従来のＤＶＤ系列のものと互換性をもたせ、且つ、従来のＤＶＤ系列のディスクよりも記憶容量の大きいものである。従来のＣＤには、赤外レーザが用いられていた。また、従来のＤＶＤには、赤色レーザが用いられていた。しかしながら、「ＨＤ  ＤＶＤ」の光ディスクに記録されたデータ／情報／信号が読み出されるときや、「ＨＤ  ＤＶＤ」の光ディスクにデータ／情報／信号が書き込まれるときには、青紫色レーザが用いられる。また、「Blu-ray」とは、従来の信号の読書きに用いられていた赤色のレーザに対し、高密度記録が実現されるために採用された青紫色のレーザを意味する。
【００７０】
図１および図２の如く、この光学部材駆動装置１は、多層化光ディスク（図示せず）の何れかの信号層（図示せず）にレーザ光（図示せず）が照射されて多層化光ディスクの何れかの信号層に光スポットが形成されるときに、レーザ光が透される光学部材１０と、光学部材１０が取り付けられる保持部材２０と、光学部材１０の光軸方向Ｌに略沿って延設されて、保持部材２０を光学部材１０の光軸方向Ｌに略沿って往復移動可能に支える一対の略丸棒状の支持部材３１，３２と、光学部材１０が取り付けられた保持部材２０を支持部材３１，３２の長手方向Ｌに略沿って繰返し往復高速駆動可能とさせた駆動部組立体２００と、保持部材２０と駆動部組立体２００の雌ねじ６０とを連結する連結部材５０と、保持部材２０または駆動部組立体２００を構成する雌ねじ６０の何れか一方または両方と連結部材５０とを繋ぐ接合部材４０（図２）と、一対の支持部材３１，３２（図１，図２）と駆動部組立体２００とが取り付けられる取付枠状部材（図示せず）とを備える。
【００７１】
光学部材駆動装置１は、多層化光ディスクの何れかの信号層にレーザ光が照射されて多層化光ディスクの何れかの信号層に光スポットが形成されるときに必要とされる例えばエキスパンダユニット２を構成するものとされている。この明細書におけるエキスパンダユニット２とは、例えばレーザ光を必要な大きさに変える可動のものとされている。例えば、小型電動機１００が用いられて、レンズ状光学部材１０を備える保持部材２０がレンズ状光学部材１０の光軸方向Ｌに略沿って移動させられることにより、光ディスクの各信号層に照射されるレーザ光のスポットが必要な大きさに可変される。例えば複数の信号層を備える「Blu-ray Disc」／「ＨＤ  ＤＶＤ」／「ＤＶＤ」規格等の光ディスクにデータ／情報／信号の記録が行われるときに、移動可能なレンズ状光学部材１０を有するビームエキスパンダユニット２が光ピックアップ装置ならびに光ピックアップ装置を備える光ディスク装置等に必要となる。また、複数の信号層を備える「Blu-ray Disc」／「ＨＤ  ＤＶＤ」／「ＤＶＤ」規格等の光ディスクに記録されたデータ／情報／信号が再生されるときに、移動可能なレンズ状光学部材１０を有するビームエキスパンダユニット２が光ピックアップ装置ならびに光ピックアップ装置を備える光ディスク装置等に備えられていると、精度の高いレーザ光のスポットが光ディスクの各信号層に照射可能となる。
【００７２】
例えば、光ピックアップ装置ならびに光ピックアップ装置を備える光ディスク装置等から生じる熱によって、光ピックアップ装置ならびに光ピックアップ装置を備える光ディスク装置等に備えられたレンズ状光学部材１０等の各種部品の特性が変化しても、レンズ状光学部材１０の光軸方向Ｌに略沿って、ビームエキスパンダユニット２のレンズ状光学部材１０の位置を移動調整させることにより、光ディスクの各信号層に精度の高いレーザ光のスポットが照射される。
【００７３】
光学部材１０として、多層化光ディスクの各信号層に照射されるレーザ光の光スポットの位置調整等を可能とさせるビームエキスパンダレンズ１０と、レーザ光を平行光または拡散光もしくは集束光とさせるコリメータレンズ１０とを兼ねた一個の凸レンズ１０が用いられている。この明細書においては、便宜上、このレンズ１０を例えばコリメータレンズ１０等と呼ぶ。コリメータレンズ１０は、ビームエキスパンダレンズ１０を兼ねた一個のレンズ１０とされている。
【００７４】
また、保持部材２０として、レンズ１０等の光学部材１０および板ばね部材５０等の連結部材５０を装備可能な一個の略Ｌ字状レンズホルダ２０が用いられている。略Ｌ字状保持部材２０は、略円板状光学部材１０が装備される略板状の第一側壁部２０Ｉと、異形連結部材５０が装備される略板状の第二側壁部２０IIとを備えて構成されている。また、光軸方向Ｌに対し略直交する方向Ｔに略沿って形成された略板状の第一側壁部２０Ｉに対して、第一側壁部２０Ｉに続く略板状の第二側壁部２０IIは、第一側壁部２０Ｉに対して略直交する方向Ｔに略沿って形成されると共に光軸方向Ｌに略沿って延長形成されている。略円板状をした略曲面状凸レンズ１０は、レンズホルダ２０を構成する略板状側壁部２０Ｉの略中央の略円孔状をしたレンズ装着部２５に入り込むようにして取り付けられる。
【００７５】
また、支持部材３１，３２として、レンズホルダ２０が滑らかに摺接可能な略丸棒状のスライドシャフト３１，３２が用いられている。レンズホルダ２０の略円孔状の第一摺接部２６に、略直線丸棒状の第一スライドシャフト３１が摺接可能に装備される。また、レンズホルダ２０の略Ｕ字状の第二摺接部２７に、略直線丸棒状の第二スライドシャフト３２が摺接可能に装備される。レンズ１０を有するレンズホルダ２０は、略曲面状凸レンズ１０を透過するレーザ光の光軸（図示せず）に略平行な二本のスライドシャフト３１，３２によって、移動可能に支持されている。
【００７６】
また、駆動部組立体２００として、駆動力を発生させると共に駆動力を伝達可能な一つのモータアセンブリ２００が用いられている。また、連結部材５０として、振動を減衰させ易くする一個の異形板ばね部材５０が用いられている。また、接合部材４０として、振動を吸収し易い点付け可能な接着剤４０等が用いられている。また、不図示の取付枠状部材として、各種部材等が取り付けられる一個のハウジングが用いられている。また、光学部材駆動装置１として、レンズ１０を往復動させる一つのレンズ駆動装置１が用いられている。モータアセンブリ２００は、例えば「Assy Stepping motor」等と呼ばれている。また、ハウジング（housing）とは、例えば、装置、部品などの物が収容される箱形のものや、箱に類似したものを意味する。
【００７７】
モータアセンブリ２００の小型電動機１００を駆動させることにより、コリメータレンズ１０を有するレンズホルダ２０が光軸方向Ｌに略沿って移動する。例えば多層化光ディスクの各信号層に照射される光スポットの層間ジャンプを実行させるときに、モータアセンブリ２００の小型電動機１００を駆動させて、コリメータレンズ１０を有するレンズホルダ２０を光軸方向Ｌに略沿って移動させることにより、例えば多層化光ディスクの第一信号層（図示せず）から第二信号層（図示せず）への光スポットの層間ジャンプが実行される。また、コリメータレンズ１０を備えたレンズホルダ２０を光軸方向Ｌに略沿って移動させることにより、例えば各光ディスクを構成するカバー層の厚さの違いにより生じる
レーザ光の光スポットの球面収差が補正される。これにより、レンズ駆動装置１またはレンズ駆動装置１を備える不図示の光ピックアップ装置は、「Blu-ray Disc」規格の光ディスクや、「ＨＤ  ＤＶＤ」規格の光ディスク等の多層光ディスク等に有効に対応する。
【００７８】
また、図１および図２に示すレンズ駆動装置１が構成されていれば、モータアセンブリ２００の振動がコリメータレンズ１０を有するレンズホルダ２０に略そのまま伝えられるということは回避され易くなる。コリメータレンズ１０が取り付けられたレンズホルダ２０と、コリメータレンズ１０が取り付けられたレンズホルダ２０をスライドシャフト３１，３２の長手方向Ｌに略沿って繰返し往復高速駆動可能なモータアセンブリ２００の雌ねじ６０とは、ばね部材５０によって連結されるので、モータアセンブリ２００が駆動しているときや駆動停止した直後に、モータアセンブリ２００の雌ねじ６０からばね部材５０を介してコリメータレンズ１０を有するレンズホルダ２０に伝えられる振動は、ばね部材５０によりある程度減衰され易くなる。
【００７９】
また、コリメータレンズ１０を有するレンズホルダ２０またはモータアセンブリ２００を構成する雌ねじ６０の何れか一方または両方と、ばね部材５０とは、接着剤４０によって繋げられるので、モータアセンブリ２００が駆動しているときや駆動停止した直後に、モータアセンブリ２００の雌ねじ６０からばね部材５０を介してコリメータレンズ１０を有するレンズホルダ２０に伝えられる振動は、接着剤４０により略無くされる。
【００８０】
例えば、少なくとも、コリメータレンズ１０を有するレンズホルダ２０と、ばね部材５０とは、接着剤４０によって繋げられるので、モータアセンブリ２００が駆動しているときや駆動停止した直後に、モータアセンブリ２００の雌ねじ６０からばね部材５０を介してコリメータレンズ１０を有するレンズホルダ２０に伝えられる振動は、接着剤４０により略無くされる。
【００８１】
また、レンズ駆動装置１およびそれを備える光ピックアップ装置の設計／仕様などにより、例えばモータアセンブリ２００の雌ねじ６０と、ばね部材５０とが、接着剤（４０）によって繋げられてもよい。この場合、例えば、雌ねじ６０の基準面部６５と、ばね部材５０の基板部５５との間などに、接着剤（４０）が介在される。この明細書における符号に付けられた括弧（  ）は、図示されたものと若干異なるものを説明するために、便宜上、用いられている。モータアセンブリ２００の雌ねじ６０と、ばね部材５０とが、接着剤（４０）によって繋げられることにより、モータアセンブリ２００が駆動しているときや駆動停止した直後に、モータアセンブリ２００からばね部材５０を介してコリメータレンズ１０を有するレンズホルダ２０に伝えられる振動は、接着剤（４０）により略無くされる。
【００８２】
また、レンズ駆動装置１およびそれを備える光ピックアップ装置の設計／仕様などにより、例えば、コリメータレンズ１０を有するレンズホルダ２０と、ばね部材５０とが、接着剤４０によって繋げられることに加え、モータアセンブリ２００の雌ねじ６０と、ばね部材５０とが、接着剤（４０）によって繋げられることにより、モータアセンブリ２００が駆動しているときや駆動停止した直後に、モータアセンブリ２００の雌ねじ６０からばね部材５０を介してコリメータレンズ１０を有するレンズホルダ２０に伝えられる振動は、接着剤４０，（４０）により略無くされる。
【００８３】
コリメータレンズ１０を有するレンズホルダ２０に伝えられる振動が略無くされるので、モータアセンブリ２００のモータ１００が停止したのちに、コリメータレンズ１０を有するレンズホルダ２０が僅かな間振動し続けるということは回避され易くなる。モータアセンブリ２００のモータ１００が停止したのちにコリメータレンズ１０を有するレンズホルダ２０に振動が殆ど残らないので、多層化光ディスクの何れかの信号層にレーザ光を照
射させて多層化光ディスクの何れかの信号層に光スポットを形成させるときに、頻繁に光スポットの層間ジャンプを実行させても、多層化光ディスクの各信号層に照射されるレーザ光の光スポットの球面収差補正は迅速に行われ易くなる。
【００８４】
多層化光ディスクの各信号層に照射されるレーザ光の光スポットの球面収差補正が迅速に行われることにより、例えばレンズ駆動装置１を備える光ピックアップ装置に不図示の多層化光ディスクの第一信号層から第二信号層への光スポットの層間ジャンプを実行させても、光スポットの層間ジャンプは、略０ｍｓｅｃ（ミリセコンド）を超え１００ｍｓｅｃ以内望ましくは略０ｍｓｅｃを超え８０ｍｓｅｃ以内の短時間で実行される。
【００８５】
例えばスピーディーなゲームソフトが記録されている多層化光ディスクが光ピックアップ装置を有する光ディスク装置に備えられてゲームが行われているときに、光ディスクの各信号層に対し、光ピックアップ装置から出射されるレーザ光の光スポットの層間ジャンプが頻繁に行われても、スピーディーなゲームの進行が妨げられることなく、円滑にスピーディーなゲームが進行される。
【００８６】
スピーディーなゲームソフトが記録されている多層化光ディスクに対応するために、多層化光ディスクの各信号層に照射される光スポットの層間ジャンプ時間は、例えば限りなく略０ｍｓｅｃに近づけられることが理想とされる。多層化光ディスクの各信号層に照射される光スポットの層間ジャンプ時間が１００ｍｓｅｃ以内とされることにより、光スポットの層間ジャンプが頻繁に行われても、スピーディーなゲームが円滑に進行され易くなる。具体的に説明すると、多層化光ディスクの各信号層に照射される光スポットの層間ジャンプ時間が８０ｍｓｅｃ以内とされることにより、光スポットの層間ジャンプが頻繁に行われても、スピーディーなゲームの進行が妨げられることなく、円滑にスピーディーなゲームが進行されることとなる。スピーディーなゲームとして、例えば、格闘技ゲーム、レーシングカーゲーム等が挙げられる。
【００８７】
また、コリメータレンズ１０を有するレンズホルダ２０またはモータアセンブリ２００を構成する雌ねじ６０の何れか一方または両方と、ばね部材５０とは、接着剤４０によって繋げられるので、モータアセンブリ２００により、ばね部材５０を介してコリメータレンズ１０が取り付けられたレンズホルダ２０をコリメータレンズ１０の光軸方向Ｌに略沿って高速で往復繰返し駆動させても、コリメータレンズ１０を有するレンズホルダ２０からばね部材５０が不用意に外れたり、モータアセンブリ２００を構成する雌ねじ６０からばね部材５０が不用意に外れたりするといった不具合の発生は回避される。
【００８８】
モータアセンブリ２００を構成する雌ねじ６０は、ばね部材５０を構成する略矩形枠状の抱持部５２に略対応した略矩形片状の略上半部６２と、略矩形片状をした略上半部６２の反対側の略半円板状をした略下半部６１とを有する略板状をした略異形ねじ状に形成されている。
【００８９】
コリメータレンズ１０を有するレンズホルダ２０とモータアセンブリ２００を構成する雌ねじ６０とを連結するばね部材５０は、レンズホルダ２０の略矩形貫通孔状の連結用固定部２１に対応した略舌片状の第一取付部５１と、モータアセンブリ２００を構成する雌ねじ６０の略矩形片状の略上半部６２に対応した略矩形枠状の第二取付部５２と、第一取付部５１と第二取付部５２とを結ぶ略板状の中間部５３とを有する。
【００９０】
これにより、モータアセンブリ２００の振動がばね部材５０を介してコリメータレンズ１０を有するレンズホルダ２０に略そのまま伝えられるということは回避され易くなる。モータアセンブリ２００が駆動しているときや駆動停止した直後に、モータアセンブリ２００からばね部材５０を介してコリメータレンズ１０を有するレンズホルダ２０に伝えら
れる振動は、レンズホルダ２０の略矩形貫通孔状の連結用固定部２１に対応した略舌片状の第一取付部５１と、モータアセンブリ２００を構成する雌ねじ６０の略矩形片状の略上半部６２に対応した略矩形枠状の第二取付部５２とを結ぶ略板状の中間部５３によりある程度減衰される。
【００９１】
ばね部材５０を構成する略舌片状の第一取付部５１は、光軸方向Ｌに対し略直交する方向Ｔに略沿って延長形成され、且つ、ばね部材５０を構成する略矩形枠状の第二取付部５２は、光軸方向Ｌに対し略直交する方向Ｔに略沿って延長形成され、ばね部材５０の第一取付部５１と第二取付部５２とが略矩形平板状の中間部５３により繋げられて、第一取付部５１と第二取付部５２と中間部５３とを備えるばね部材５０は、光軸方向Ｌに対し略直交するばね部材延長方向Ｔに略沿って延長形成されている。略舌片状の第一取付部５１および略矩形平板状の中間部５３を有する略板ばね状平板部５０ａは、略矩形枠状の第二取付部５２の略平板状基板部５５に例えば略平面状に連成されている。また、ばね部材５０の略舌片状の第一取付部５１と略矩形枠状の第二取付部５２との間に、幅狭の括れ部５３ａが形成されている。
【００９２】
詳しく説明すると、図１の如く、ばね部材５０を構成する中間部５３の光軸方向Ｌもしくはねじ延長方向Ｓに略沿った幅５３ｗは、ばね部材５０を構成する略舌片状をした第一取付部５１の光軸方向Ｌもしくはねじ延長方向Ｓに略沿った幅５１ｗおよびばね部材５０を構成する略矩形枠状をした第二取付部５２の光軸方向Ｌもしくはねじ延長方向Ｓに略沿った幅５２ｗよりも狭く設定されている。ばね部材５０（図１，図２）に幅狭の中間部５３が構成されて、ばね部材５０は、括れた略括れ形状に形成されている。
【００９３】
これにより、モータアセンブリ２００を構成する雌ねじ６０の振動がばね部材５０を介してコリメータレンズ１０を有するレンズホルダ２０に略そのまま伝えられるということは回避される。レンズホルダ２０に対応したばね部材５０を構成する略舌片状第一取付部５１と、モータアセンブリ２００に対応したばね部材５０を構成する略矩形枠状第二取付部５２とを結ぶばね部材５０の略板状中間部５３の光軸方向Ｌもしくはねじ延長方向Ｓに略沿った幅５３ｗは、ばね部材５０の第一取付部５１の光軸方向Ｌもしくはねじ延長方向Ｓに略沿った幅５１ｗおよびばね部材５０の第二取付部５２の光軸方向Ｌもしくはねじ延長方向Ｓに略沿った幅５２ｗよりも狭く設定されていることから、モータアセンブリ２００が駆動しているときや駆動停止した直後に、モータアセンブリ２００からばね部材５０を介してコリメータレンズ１０を有するレンズホルダ２０に伝えられる振動は、略括れ形状をしたばね部材５０の略板状中間部５３にて減衰され易くなる。
【００９４】
ばね部材５０を構成する略舌片状の第一取付部５１は、例えば略異形板状の舌片部５１とされている。また、ばね部材５０を構成する略矩形枠状をした第二取付部５２は、例えば略矩形枠状の抱持部５２とされている。また、略舌片状の第一取付部５１と略矩形枠状をした第二取付部５２とを結ぶ略矩形平板状をした中間部５３は、例えば略矩形平板状の連接部５３とされている。
【００９５】
回動駆動力を発生させると共に回動駆動力をねじ延長方向Ｓおよび光軸方向Ｌに略沿った往復直進動駆動力に変換して連結部材５０に伝達させるモータアセンブリ２００は、回動駆動力を発生させる小型電動機１００と、小型電動機１００の回動駆動力を伝える送りねじ７０と、送りねじ７０に螺合することで回動駆動力をねじ延長方向Ｓおよび光軸方向Ｌに略沿った往復直進動駆動力に変換させると共にねじ延長方向Ｓおよび光軸方向Ｌに略沿った往復直進動駆動力を伝える雌ねじ６０と、送りねじ７０を回動可能に支える一対の滑り軸受８１，８２と、一対の滑り軸受８１，８２と一対の滑り軸受８１，８２により回動可能に支えられる送りねじ７０と送りねじ７０に連成された小型電動機１００とを支持する取付具９０とを有する。雌ねじ６０の略上半部６２に連結部材５０の抱持部５２が装
着されている。
【００９６】
小型電動機１００として、電気が流されることにより正転駆動または逆転駆動が可能とされると共に微細角駆動が可能とされた小型階動電動機１００いわゆる小型ステッピングモータ１００が用いられている。ステッピングモータとは、例えばパルス信号が入力されることにより回動するモータを意味する。詳しく説明すると、ステッピングモータとは、パルス信号で直接制御可能なものとされ、パルス信号が入力されるごとに、一定角度ずつ回動するモータとされている。このようなことから、ステッピングモータは、高精度な位置決めが可能なモータとされている。図１および図２に示すステッピングモータ１００は、例えば位置決め制御が行われ易いモータ１００とされ、微細な送り動作等が行われるときに適したモータ１００とされている。このように、モータ１００として高精度な位置決めが可能なステッピングモータ１００が用いられているが、ステッピングモータ１００以外の他のモータが用いられてもよい。
【００９７】
また、小型ステッピングモータ１００として、リードスクリュー形小型ステッピングモータ１００以外に、例えば、円筒形、偏平形（フラット形）、ビルトイン形、スタック形、又は、直線形（リニア形モータ）等の形態をした小型ステッピングモータ１００も使用可能とされる。
【００９８】
また、小型ステッピングモータ１００として、例えば、永久磁石形（ＰＭ形：permanent magnet type）、可変リラクタンス形（ＶＲ形：variable reluctance type）、又は、永久磁石および可変リラクタンス複合形（ＨＢ型：hybrid type）等の小型ステッピングモータ１００が使用可能とされる。
【００９９】
また、小型ステッピングモータ１００として、例えば、２相、３相、４相、５相、又は、多相モータとされた小型ステッピングモータ１００等が使用可能とされる。２相モータとして、例えば、１相励磁、２相励磁、１−２相励磁モータ等が挙げられる。また、４相モータとして、例えば、４相励磁、ダブル１−２相励磁、３−４相励磁モータ等が挙げられる。また、５相モータとして、例えば、５相スタンダード結線（４相励磁、４−５相励磁）、５角形（ペンタゴン）結線（４相励磁）、スター結線（２−３相励磁）モータ等が挙げられる。
【０１００】
また、ステッピングモータ１００として、例えば、バイポーラ通電方式とされたモノファイラ巻ステッピングモータ１００が使用可能とされる。バイポーラ通電方式とは、例えばコイルの双方向に駆動電流を流す方式を意味する。また、ステッピングモータ１００として、例えば、ユニポーラ通電方式とされたバイファイラ巻ステッピングモータ１００が使用可能とされる。ユニポーラ通電方式とは、例えばコイルの一方向に駆動電流を流す方式を意味する。
【０１０１】
また、小型ステッピングモータ１００を駆動させる駆動方式として、例えば、マイクロステップ駆動方式（アナログ式、デジタル式）、オープンループ制御方式（クローズドループ制御方式）、定電圧駆動方式（外付抵抗法）、定電流駆動方式（チョッパー制御方式）、電圧切り換え方式（高圧、低圧二電源切換方式）、逆相パルス印加駆動方式（ポジキャスト制御方式）等が挙げられる。
【０１０２】
また、送りねじ７０として、ねじ本体部７３に精度よく螺旋溝部７３ａが形成された略棒状のリードスクリュー７０が用いられている。略棒状をした送りねじ７０いわゆるリードスクリュー７０は、光軸方向Ｌと略同じ方向Ｌ，Ｓとされるねじ延長方向Ｓに略沿って延設されている。また、雌ねじ６０として、リードスクリュー７０のねじ本体部７３の螺旋溝部７３ａに対応する螺旋溝部６３ａがねじ孔部６３に形成されたスクリューナット６
０が用いられている。スクリューナット６０のナット孔部６３にリードスクリュー７０のスクリュー本体部７３が通されて、リードスクリュー７０が正逆回動させられたときに、リードスクリュー７０の正逆回動に伴って、リードスクリュー７０のスクリュー本体部７３のねじ山部７３ａに合わせられたスクリューナット６０のナット孔部６３のねじ溝部６３ａが摺接されつつ往復動させられる。これにより、略棒状をしたリードスクリュー７０のリード方向Ｓに略沿ってスクリューナット６０が往復移動する。
【０１０３】
また、滑り軸受８１，８２として、精度よく摺接面が形成された超小型プレーンベアリング８１，８２が用いられている。各軸受８１，８２は、例えばラジアル軸受８１，８２および／またはスラスト軸受８１，８２として機能する。超小型滑り軸受８１，８２に代えて、例えば、超小型転がり軸受（８１，８２）いわゆるミニチュアボールベアリング（８１，８２）が用いられてもよい。
【０１０４】
また、取付具９０として、略板状の金属素材等が打抜き・折曲げなどの精密プレス成形されることにより形成された略コ字状のブラケット９０が用いられている。ブラケット９０は、第一ベアリング８１が装備される左側の略平板状の第一側板部９１と、第二ベアリング８２が装備される右側の略平板状の第二側板部９２と、第一側板部９１と第二側板部９２とを繋ぐ下側の略平板状の基板部９３とを備えて構成されている。第一側板部９１に対し、第二側板部９２は略平行に形成されている。また、第一側板部９１および第二側板部９２に対し、基板部９３は略直交する方向に略沿って形成されている。略コ字状ブラケット９０の第一側板部９１に装備された第一ベアリング８１に、リードスクリュー７０の第一端部７１が回動可能に装着されている。リードスクリュー７０の第一端部７１は、ステッピングモータ１００を構成する略円柱状のモータ本体部１０１内に続いている。また、略コ字状ブラケット９０の第二側板部９２に装備された第二ベアリング８２に、リードスクリュー７０の第二端部７２が回動可能に装着されている。また、略コ字状をしたブラケット９０の略平板状第一側板部９１の外側に、ステッピングモータ１００の略円筒状をした筐体１１０いわゆるケース１１０の略円板状一端部１１１が装着されることにより、ブラケット９０にステッピングモータ１００が備えられる。
【０１０５】
また、モータアセンブリ２００として、前記ステッピングモータ１００と、前記リードスクリュー７０と、前記スクリューナット６０と、前記プレーンベアリング８１，８２と、前記ブラケット９０とを有するリードスクリュー型ステッピングモータアセンブリ２００が用いられている。
【０１０６】
図１および図２に示すリードスクリュー型ステッピングモータアセンブリ２００が構成されていれば、モータアセンブリ２００のステッピングモータ１００から生じた振動が、モータアセンブリ２００のリードスクリュー７０と、モータアセンブリ２００のスクリューナット６０と、ばね部材５０とを介して、コリメータレンズ１０を有するレンズホルダ２０に略そのまま伝えられるということは回避され易くなる。
【０１０７】
モータアセンブリ２００のステッピングモータ１００が駆動しているときや駆動停止した直後に、モータアセンブリ２００のステッピングモータ１００から生じた振動は、モータアセンブリ２００のリードスクリュー７０と、モータアセンブリ２００のスクリューナット６０とに伝えられたのちに、スクリューナット６０の略上半部６２に装着されたばね部材５０の中間部５３によりある程度減衰される。
【０１０８】
また、モータアセンブリ２００のステッピングモータ１００が駆動しているときや駆動停止した直後に、モータアセンブリ２００のステッピングモータ１００から生じた振動は、モータアセンブリ２００のリードスクリュー７０と、モータアセンブリ２００のスクリューナット６０と、ばね部材５０とに伝えられたのちに、コリメータレンズ１０を有する
レンズホルダ２０またはモータアセンブリ２００を構成するスクリューナット６０の何れか一方または両方と、ばね部材５０とを繋ぐ合成重合体製の接着剤４０により、減衰または略無くされる。
【０１０９】
具体的に説明すると、モータアセンブリ２００のステッピングモータ１００が駆動しているときや駆動停止した直後に、モータアセンブリ２００のステッピングモータ１００から生じた振動は、モータアセンブリ２００のリードスクリュー７０と、モータアセンブリ２００のスクリューナット６０と、ばね部材５０とに伝えられたのちに、コリメータレンズ１０を有するレンズホルダ２０と、ばね部材５０とを繋ぐ合成重合体製の接着剤４０により略無くされる。
【０１１０】
または、モータアセンブリ２００のステッピングモータ１００が駆動しているときや駆動停止した直後に、モータアセンブリ２００のステッピングモータ１００から生じた振動は、モータアセンブリ２００のリードスクリュー７０と、モータアセンブリ２００のスクリューナット６０とに伝えられたのちに、モータアセンブリ２００を構成するスクリューナット６０と、ばね部材５０とを繋ぐ不図示の合成重合体製の接着剤により、減衰される。
【０１１１】
スクリューナット６０にばね部材５０が装着されるときに係り合わせられる位置合せ部６４がスクリューナット６０に設けられている。また、位置合せ部６４に対応した相手側位置合せ部５４がばね部材５０に設けられている。具体的に説明すると、スクリューナット６０の略上半部６２にばね部材５０の抱持部５２が装着されるときに係り合わせられる略円柱状または略円板状の位置合せ用突出部６４が、スクリューナット６０の略上半部６２の基準面部６５略中央とされる上側略中央に突設されている。また、スクリューナット６０の略円柱状または略円板状の位置合せ用突出部６４に対応した略円孔状の位置合せ用孔部５４が、ばね部材５０の抱持部５２の基板部５５略中央とされる上側略中央に穿設されている。
【０１１２】
図１および図２に示すレンズ駆動装置１のばね部材５０の取付構造が構成されていれば、レンズ駆動装置１の信頼性が向上される。スクリューナット６０の略上半部６２にばね部材５０の抱持部５２が装着されるときに、スクリューナット６０の略上半部６２の基準面部６５略中央とされる上側略中央に突設された略円柱状または略円板状の位置合せ用突出部６４に、ばね部材５０の抱持部５２の基板部５５略中央とされる上側略中央に穿設された略円孔状の位置合せ用孔部５４が係り合わせられるので、モータアセンブリ２００のステッピングモータ１００を高速で駆動させ、これに伴って、ステッピングモータ１００に続くリードスクリュー７０と、リードスクリュー７０に螺合するスクリューナット６０と、スクリューナット６０に装着されたばね部材５０とを介して、コリメータレンズ１０が取り付けられたレンズホルダ２０をコリメータレンズ１０の光軸方向Ｌに略沿って高速で往復繰返し駆動させても、モータアセンブリ２００を構成するスクリューナット６０の略上半部６２の略円柱状または略円板状位置合せ用突出部６４からばね部材５０の抱持部５２の略円孔状位置合せ用孔部５４が不用意に外れるといった不具合の発生は回避される。スクリューナット６０の略上半部６２の基準面部６５略中央とされる上側略中央に突設された略円柱状または略円板状の位置合せ用突出部６４に、ばね部材５０の抱持部５２の基板部５５略中央とされる上側略中央に穿設された略円孔状の位置合せ用孔部５４が確実に係り合わせられることにより、ばね部材５０は、スクリューナット６０に確実に装着される。
【０１１３】
スクリューナット６０にばね部材５０が装着されるときに係り合わせられる係合部６８がスクリューナット６０に設けられている。また、スクリューナット６０の係合部６８に対応した係止部５８がばね部材５０に設けられている。具体的に説明すると、スクリュー
ナット６０の略上半部６２にばね部材５０の抱持部５２が装着されるときに係り合わせられる係合突出部６８がスクリューナット６０の略上半部６２に備えられている。スクリューナット６０の略上半部６２の係合突出部６８は、略平面状の基準面部６５に対し略直交する略平面状の一側面部６８ａと、略平面状の一側面部６８ａに対し略直交すると共に略平面状の基準面部６５に対し略平行に形成された略平面状の他側面部６８ｂとを有する。
【０１１４】
又、スクリューナット６０の略上半部６２の係合突出部６８に対応した係止爪部５８がばね部材５０の抱持部５２に備えられている。ばね部材５０の抱持部５２の係止爪部５８は、略平板状の基板部５５に対し略直交する方向に略沿って折り曲げられた略平板状の一側板部５８ａと、略平板状の一側板部５８ａに対し略直交すると共に略平板状の基板部５５に対し略平行に延長された略平板状の他側板部５８ｂとを有する。ばね部材５０の略平板状の一側板部５８ａは、レンズホルダ２０を構成する略板状の第二側壁部２０IIに対し略平行に形成されている。また、ばね部材５０の略平板状の他側板部５８ｂは、略平板状の一側板部５８ａに対し略直交する方向に略沿って折り曲げられたのちにレンズホルダ２０に向けて延長形成されている。また、ばね部材５０の抱持部５２を構成する係止爪部５８の略平板状一側板部５８ａは、スクリューナット６０の略上半部６２を構成する係合突出部６８の略平面状一側面部６８ａに対応する。また、ばね部材５０の抱持部５２を構成する係止爪部５８の略平板状他側板部５８ｂは、スクリューナット６０の略上半部６２を構成する係合突出部６８の略平面状他側面部６８ｂに対応する。
【０１１５】
図１および図２に示すレンズ駆動装置１のばね部材５０の取付構造が構成されていれば、レンズ駆動装置１の信頼性がより向上される。スクリューナット６０の略上半部６２の係合突出部６８に対応したばね部材５０の略平板状一側板部５８ａおよび略平板状他側板部５８ｂを有する係止爪部５８が、スクリューナット６０の略上半部６２の略平面状一側面部６８ａおよび略平面状他側面部６８ｂを有する係合突出部６８に係り合わせられて、ばね部材５０の抱持部５２がモータアセンブリ２００を構成するスクリューナット６０の略上半部６２に装着されているので、モータアセンブリ２００のステッピングモータ１００により、スクリューナット６０が螺合されたリードスクリュー７０を高速で繰返し正転・逆転駆動させ、これに伴って、スクリューナット６０に装備されたばね部材５０を介してコリメータレンズ１０が取り付けられたレンズホルダ２０をコリメータレンズ１０の光軸方向Ｌに略沿って高速で往復繰返し駆動させても、モータアセンブリ２００を構成するスクリューナット６０の略上半部６２の係合突出部６８からばね部材５０の係止爪部５８が不用意に外れるといった不具合の発生は回避される。スクリューナット６０の略上半部６２の係合突出部６８に対応したばね部材５０の略平板状一側板部５８ａおよび略平板状他側板部５８ｂを有する係止爪部５８が、スクリューナット６０の略上半部６２の略平面状一側面部６８ａおよび略平面状他側面部６８ｂを有する係合突出部６８に確実に係り合わせられることにより、ばね部材５０は、スクリューナット６０に確実に装着される。
【０１１６】
スクリューナット６０の略矩形片状の略上半部６２に対応して、ばね部材５０に折曲げ加工が行われてばね部材５０に略矩形枠状の抱持部５２が形成されている。ばね部材５０の略矩形枠状の抱持部５２は、略異形板状の舌片部５１ならびに略矩形平板状の連接部５３に略平面状に続く略平板状の基板部５５と、略平板状の基板部５５に対し略直交する方向に略沿って折り曲げられた略平板状の第一側板部５６と、略平板状の基板部５５に対し略直交する方向に略沿って折り曲げられると共に略平板状の第一側板部５６と略平行に配された略平板状の第二側板部５７と、略平板状の基板部５５に対し略直交する方向に略沿って折り曲げられると共に略平板状の第一側板部５６および略平板状の第二側板部５７に対し略直交する方向に略沿って折り曲げられた略平板状の第三側板部５８ａと、略平板状の第三側板部５８ａに対し略直交する方向に略沿って折り曲げられると共に略平板状の第一側板部５６および略平板状の第二側板部５７に対し略直交する方向に略沿って折り曲げられ且つ略平板状の基板部５５に対し略平行に延長された略平板状の第四側板部５８ｂと
を有して略矩形枠状に形成されている。また、ばね部材５０の略矩形枠状抱持部５２を構成する係止爪部５８は、略平板状の基板部５５に対し略直交する方向に略沿って折り曲げられた略平板状の第三側板部５８ａと、略平板状の第三側板部５８ａに対し略直交すると共に略平板状の基板部５５に対し略平行に延長された略平板状の第四側板部５８ｂとを有する。
【０１１７】
また、ばね部材５０の略矩形枠状の抱持部５２に対応するスクリューナット６０の略矩形片状の略上半部６２は、略平面状の基準面部６５と、略平面状の基準面部６５に対し略直交する略平面状の第一側面部６６と、略平面状の基準面部６５に対し略直交すると共に略平面状の第一側面部６６に対し略平行に形成された略平面状の第二側面部６７と、略平面状の基準面部６５に対し略直交すると共に略平面状の第一側面部６６および略平面状の第二側面部６７に対し略直交する略平面状の第三側面部６８ａと、略平面状の第三側面部６８ａに対し略直交すると共に略平面状の第一側面部６６および略平面状の第二側面部６７に対し略直交し且つ略平面状の基準面部６５に対し略平行に形成された略平面状の第四側面部６８ｂとを有して略矩形片状に形成されている。また、スクリューナット６０の略矩形片状略上半部６２を構成する係合突出部６８は、略平面状の基準面部６５に対し略直交する略平面状の第三側面部６８ａと、略平面状の第三側面部６８ａに対し略直交すると共に略平面状の基準面部６５に対し略平行に形成された略平面状の第四側面部６８ｂとを有する。
【０１１８】
また、ばね部材５０の略矩形枠状をした抱持部５２の略平板状基板部５５は、スクリューナット６０の略矩形片状をした略上半部６２の略平面状基準面部６５に対応する。また、ばね部材５０の略矩形枠状をした抱持部５２の略平板状第一側板部５６は、スクリューナット６０の略矩形片状をした略上半部６２の略平面状第一側面部６６に対応する。また、ばね部材５０の略矩形枠状をした抱持部５２の略平板状第二側板部５７は、スクリューナット６０の略矩形片状をした略上半部６２の略平面状第二側面部６７に対応する。また、ばね部材５０の略矩形枠状をした抱持部５２の略平板状第三側板部５８ａは、スクリューナット６０の略矩形片状をした略上半部６２の略平面状第三側面部６８ａに対応する。また、ばね部材５０の略矩形枠状をした抱持部５２の略平板状第四側板部５８ｂは、スクリューナット６０の略矩形片状をした略上半部６２の略平面状第四側面部６８ｂに対応する。スクリューナット６０の略矩形片状の略上半部６２に、ばね部材５０の略矩形枠状の抱持部５２が係り合わせられるように被せられている。
【０１１９】
図１および図２に示すレンズ駆動装置１のばね部材５０の取付構造が構成されていれば、レンズ駆動装置１の信頼性がさらに向上される。スクリューナット６０の略矩形片状の略上半部６２に対応して、ばね部材５０に折曲げ加工が行われて形成されたばね部材５０の略平板状基板部５５ならびに各略平板状側板部５６，５７，５８ａ，５８ｂを有する略矩形枠状の抱持部５２が、スクリューナット６０の略平面状基準面部６５ならびに各略平面状側面部６６，６７，６８ａ，６８ｂを有する略矩形片状の略上半部６２に係り合わせられるように被せられているので、モータアセンブリ２００により、ばね部材５０を介してコリメータレンズ１０が取り付けられたレンズホルダ２０をコリメータレンズ１０の光軸方向Ｌに略沿って高速で往復繰返し駆動させても、モータアセンブリ２００を構成するスクリューナット６０の略上半部６２からばね部材５０の抱持部５２が不用意に外れるといった不具合の発生は回避される。スクリューナット６０の略矩形片状の略上半部６２に対応して、折曲げ加工が行われてばね部材５０に形成された略平板状基板部５５ならびに各略平板状側板部５６，５７，５８ａ，５８ｂを有する略矩形枠状の抱持部５２が、スクリューナット６０の略平面状基準面部６５ならびに各略平面状側面部６６，６７，６８ａ，６８ｂを有する略矩形片状の略上半部６２に係り合わせられるように確実に被せられることにより、ばね部材５０は、スクリューナット６０に確実に装着される。
【０１２０】
また、ばね部材５０の抱持部５２が、略平板状の基板部５５ならびに略平板状の基板部５５に対し略直交する方向に略沿って折り曲げられた略平板状の各側板部５６，５７，５８ａ等を有して略矩形枠状に形成されることにより、ばね部材５０の抱持部５２の強度が向上する。例えば単に平面状に形成された板材よりも、平面状板材に折曲げ加工が行われて各折曲げ部が形成された成形体のほうが変形され難い。略平板状の基板部５５に対し略直交する方向に略沿って略平板状の各側板部５６，５７，５８ａ等が折り曲げられて略矩形枠状の抱持部５２がばね部材５０に形成されることにより、モータアセンブリ２００によって、ばね部材５０を介してコリメータレンズ１０が取り付けられたレンズホルダ２０をコリメータレンズ１０の光軸方向Ｌに略沿って高速で往復繰返し駆動させても、モータアセンブリ２００を構成するスクリューナット６０の略上半部６２に被せられたばね部材５０の抱持部５２が、例えば塑性変形するといった不具合の発生は回避され易くなる。
【０１２１】
また、例えば、スクリューナット６０の略上半部６２にばね部材５０の抱持部５２が装着されるときに、スクリューナット６０の略上半部６２の上側略中央に突設された略円柱状または略円板状の位置合せ用突出部６４に、ばね部材５０の抱持部５２の上側略中央に穿設された略円孔状の位置合せ用孔部５４が係り合わせられ、且つ、スクリューナット６０の略上半部６２の係合突出部６８に対応したばね部材５０の係止爪部５８がスクリューナット６０の略上半部６２の係合突出部６８に係り合わせられて、ばね部材５０の抱持部５２がモータアセンブリ２００を構成するスクリューナット６０に装着されることにより、ばね部材５０は、スクリューナット６０により確実に装着される。
【０１２２】
また、例えば、スクリューナット６０の略上半部６２の係合突出部６８に対応したばね部材５０の係止爪部５８がスクリューナット６０の略上半部６２の係合突出部６８に係り合わせられて、ばね部材５０の抱持部５２がモータアセンブリ２００を構成するスクリューナット６０に装着され、且つ、スクリューナット６０の略矩形片状の略上半部６２に対応して、ばね部材５０に折曲げ加工が行われて形成されたばね部材５０の略矩形枠状の抱持部５２が、スクリューナット６０の略矩形片状の略上半部６２に係り合わせられるように被せられることにより、ばね部材５０は、スクリューナット６０により確実に装着される。
【０１２３】
また、例えば、スクリューナット６０の略矩形片状の略上半部６２に対応して、ばね部材５０に折曲げ加工が行われて形成されたばね部材５０の略矩形枠状の抱持部５２が、スクリューナット６０の略矩形片状の略上半部６２に係り合わせられるように被せられ、且つ、スクリューナット６０の略上半部６２にばね部材５０の抱持部５２が装着されるときに、スクリューナット６０の略上半部６２の上側略中央に突設された略円柱状または略円板状の位置合せ用突出部６４に、ばね部材５０の抱持部５２の上側略中央に穿設された略円孔状の位置合せ用孔部５４が係り合わせられることにより、ばね部材５０は、スクリューナット６０により確実に装着される。
【０１２４】
また、例えば、スクリューナット６０の略上半部６２にばね部材５０の抱持部５２が装着されるときに、スクリューナット６０の略上半部６２の上側略中央に突設された略円柱状または略円板状の位置合せ用突出部６４に、ばね部材５０の抱持部５２の上側略中央に穿設された略円孔状の位置合せ用孔部５４が係り合わせられ、且つ、スクリューナット６０の略上半部６２の係合突出部６８に対応したばね部材５０の係止爪部５８がスクリューナット６０の略上半部６２の係合突出部６８に係り合わせられて、ばね部材５０の抱持部５２がモータアセンブリ２００を構成するスクリューナット６０に装着され、且つ、スクリューナット６０の略矩形片状の略上半部６２に対応して、ばね部材５０に折曲げ加工が行われて形成されたばね部材５０の略矩形枠状の抱持部５２が、スクリューナット６０の略矩形片状の略上半部６２に係り合わせられるように被せられることにより、ばね部材５０は、スクリューナット６０にさらに確実に装着される。
【０１２５】
このようにスクリューナット６０にばね部材５０が装着されていれば、例えばばね部材５０とスクリューナット６０とを繋ぐための接着剤をばね部材５０とスクリューナット６０との間に塗布させなくても、スクリューナット６０にばね部材５０を確実に装着させることが可能となる。
【０１２６】
ばね部材５０を構成する略異形板状の舌片部５１は、ねじ延長方向Ｓに対し略直交する方向Ｔに略沿って延長形成され、且つ、ばね部材５０を構成する略矩形枠状の抱持部５２は、ねじ延長方向Ｓに対し略直交する方向Ｔに略沿って延長形成され、ばね部材５０の舌片部５１と抱持部５２とが略矩形平板状の連接部５３により繋げられて、舌片部５１と抱持部５２と連接部５３とを備えるばね部材５０は、ねじ延長方向Ｓに対し略直交するばね部材延長方向Ｔに略沿って延長形成されている。
【０１２７】
スクリューナット６０にばね部材５０が装着されるときに、例えば、先ず、スクリューナット６０の略平面状基準面部６５に対し、略異形板状舌片部５１ならびに略矩形平板状連接部５３に略平面状に続く略平板状基板部５５が傾けられた状態で、ばね部材５０の係止爪部５８の第四側板部５８ｂが、スクリューナット６０の略上半部６２に備えられた係合突出部６８の第四側面部６８ｂに軽く斜めに引っ掛けられる。次に、ばね部材５０の係止爪部５８の第四側板部５８ｂを略中心として、細長いばね部材５０が回転されると、スクリューナット６０の略上半部６２の基準面部６５略中央に突設された略円柱状または略円板状位置合せ用突出部６４に、ばね部材５０の抱持部５２の基板部５５略中央に穿設された略円孔状位置合せ用孔部５４が係り合わせられる。このようにして、略平面状基準面部６５ならびに各略平面状側面部６６，６７，６８ａ，６８ｂを有するスクリューナット６０の略矩形片状略上半部６２に、略平板状基板部５５ならびに各略平板状側板部５６，５７，５８ａ，５８ｂを有するばね部材５０の略矩形枠状抱持部５２が係り合わせられつつ被せられる。
【０１２８】
レンズ駆動装置１の設計／仕様などや、レンズ駆動装置１を備える光ピックアップ装置の設計／仕様などにより、モータアセンブリ２００の振動が抑えられることなくばね部材５０に伝えられることを防ぐために、モータアセンブリ２００のスクリューナット６０にばね部材５０が装着されるときに、雌ねじ６０の基準面部６５と、ばね部材５０の基板部５５との間などに、例えば振動を抑えることが可能な合成重合体製パッド等の各種振動吸収材（図示せず）を介在させてもよい。
【０１２９】
また、ばね部材５０の略矩形枠状の抱持部５２を構成する各略平板状の側板部５６，５７に、略棒状のリードスクリュー７０のスクリュー本体部７３が干渉することを回避させるために、ばね部材５０の略矩形枠状の抱持部５２を構成する各略平板状の側板部５６，５７に、略棒状のスクリュー本体部７３に対応した緩やかな略湾曲状の干渉回避部５９例えば切欠き部５９が形成されている。
【０１３０】
ばね部材５０の略矩形枠状抱持部５２を構成する各略平板状側板部５６，５７に、リードスクリュー７０の略棒状スクリュー本体部７３に対応した緩やかな略湾曲状切欠き部５９が形成されているので、略棒状リードスクリュー７０にばね部材５０の略矩形枠状抱持部５２を構成する一対の略平板状側板部５６，５７が接するという不具合の発生は回避される。
【０１３１】
ばね部材５０の略板状の舌片部５１に対応した略矩形貫通孔状の連結用固定孔部２１が、レンズホルダ２０を構成する略板状の側壁部２０IIの上側に穿設されている。レンズホルダ２０を構成する略板状の側壁部２０IIの連結用固定孔部２１に、ばね部材５０の略板状の舌片部５１が嵌挿装着されている。
【０１３２】
図１および図２に示すレンズ駆動装置１のばね部材５０の取付構造が構成されていれば、レンズ駆動装置１の信頼性が向上される。ばね部材５０の略板状の舌片部５１に対応したレンズホルダ２０の略板状側壁部２０IIの略矩形貫通孔状連結用固定孔部２１に、ばね部材５０の略板状の舌片部５１が嵌挿装着されているので、モータアセンブリ２００により、ばね部材５０を介してコリメータレンズ１０が取り付けられたレンズホルダ２０をコリメータレンズ１０の光軸方向Ｌに略沿って高速で往復繰返し駆動させても、コリメータレンズ１０を有するレンズホルダ２０の略板状側壁部２０IIの連結用固定孔部２１からばね部材５０の舌片部５１が不用意に外れるといった不具合の発生は回避される。ばね部材５０の略板状の舌片部５１に対応したレンズホルダ２０の略板状側壁部２０IIの略矩形貫通孔状連結用固定孔部２１に、ばね部材５０の略板状の舌片部５１が確実に嵌挿装着されることにより、ばね部材５０は、レンズホルダ２０に確実に装着される。
【０１３３】
図２の如く、レンズホルダ２０に設けられた略矩形貫通孔状連結用固定孔部２１にばね部材５０の略板状舌片部５１を装着させるときに、レンズホルダ２０の連結用固定孔部２１にばね部材５０の略板状舌片部５１を装着させ易くするための装着促進部２３ａ，２３ｂが、レンズホルダ２０の連結用固定孔部２１の開口部２２に設けられている。詳しく説明すると、レンズホルダ２０に設けられた略矩形貫通孔状連結用固定孔部２１にばね部材５０の略板状舌片部５１を装着させるときに、レンズホルダ２０の連結用固定孔部２１にばね部材５０の略板状舌片部５１を装着させ易くするための傾斜挿入面部２３ａが、レンズホルダ２０の連結用固定孔部２１の開口部２２下側に設けられている。又は、レンズホルダ２０に設けられた略矩形貫通孔状連結用固定孔部２１にばね部材５０の略板状舌片部５１を装着させるときに、レンズホルダ２０の連結用固定孔部２１にばね部材５０の略板状舌片部５１を装着させ易くするための切欠き部２３ｂが、レンズホルダ２０の連結用固定孔部２１の開口部２２上側に設けられている。
【０１３４】
図１および図２に示すレンズ駆動装置１のばね部材５０の取付構造が構成されていれば、ばね部材５０は、コリメータレンズ１０を有するレンズホルダ２０に容易で迅速に備えられる。レンズホルダ２０に設けられた略矩形貫通孔状連結用固定孔部２１にばね部材５０の略板状舌片部５１が装着されるときに、レンズホルダ２０の連結用固定孔部２１の開口部２２下側に設けられた傾斜挿入面部２３ａに、ばね部材５０の略板状舌片部５１の先端部５１ａを例えば摺接させつつレンズホルダ２０の連結用固定孔部２１の開口部２２から収容部２４内いわゆる収容空間２４内に導入させれば、コリメータレンズ１０を有するレンズホルダ２０に対するばね部材５０の装着作業は、速やかに行われる。又は、レンズホルダ２０に設けられた略矩形貫通孔状連結用固定孔部２１にばね部材５０の略板状舌片部５１が装着されるときに、レンズホルダ２０の連結用固定孔部２１の開口部２２上側に設けられた切欠き部２３ｂに、ばね部材５０の略板状舌片部５１の先端部５１ａを例えば当接させつつレンズホルダ２０の連結用固定孔部２１の開口部２２から収容部２４内いわゆる収容空間２４内に導入させれば、コリメータレンズ１０を有するレンズホルダ２０に対するばね部材５０の装着作業は、比較的、速やかに行われる。従って、レンズ駆動装置１の組立工程が迅速化される。また、これに伴って、レンズ駆動装置１の価格低減化が図られる。また、これに伴って、レンズ駆動装置１を備える光ピックアップ装置の価格低減化が図られる。
【０１３５】
レンズホルダ２０に設けられた略矩形貫通孔状連結用固定孔部２１にばね部材５０の略板状舌片部５１を挿着させたのちに、接着剤４０を用いてレンズホルダ２０の略矩形貫通孔状連結用固定孔部２１にばね部材５０の略板状舌片部５１を固着させるときに、レンズホルダ２０の連結用固定孔部２１に十分な量の接着剤４０を確実に塗布させ易くするための塗布促進部２３ｂ（図１，図２）が、レンズホルダ２０の連結用固定孔部２１の開口部２２に設けられている。レンズホルダ２０を構成する略板状側壁部２０II上側の連結用固
定孔部２１の開口部２２に設けられた塗布促進部２３ｂは、レンズホルダ２０を構成する略板状側壁部２０II上側の連結用固定孔部２１の開口部２２に設けられた略凹状切欠き部２３ｂとして形成されている。
【０１３６】
図１および図２に示すレンズ駆動装置１のばね部材５０の取付構造が構成されていれば、モータアセンブリ２００のステッピングモータ１００が停止したのちに振動が僅かな間レンズホルダ２０に残るということは回避され易くなる。レンズホルダ２０を構成する略板状側壁部２０II上側の連結用固定孔部２１に十分な量の接着剤４０を確実に塗布させ易くするための略凹状切欠き部２３ｂが、レンズホルダ２０の連結用固定孔部２１の開口部２２に設けられているので、レンズホルダ２０を構成する略板状側壁部２０II上側の連結用固定孔部２１の開口部２２に、十分な量の接着剤４０が確実に塗布される。レンズホルダ２０の略板状側壁部２０IIの上側に設けられた略矩形貫通孔状連結用固定孔部２１に、ばね部材５０の略板状舌片部５１を挿着させたのちに、接着剤４０を用いてレンズホルダ２０にばね部材５０の略板状舌片部５１を固着させるときに、例えば接着剤４０の塗布量が不足し、これが原因で接着剤４０にて振動が十分に吸収されず、その結果、モータアセンブリ２００からばね部材５０を介してコリメータレンズ１０を有するレンズホルダ２０に伝えられる振動が十分に抑えられないという不具合の発生は回避され易くなる。
【０１３７】
また、レンズホルダ２０を構成する略板状側壁部２０II上側の連結用固定孔部２１の開口部２２上側に略凹状の切欠き部２３ｂ（図１，図２）が設けられているので、例えば図２に示す状態で、レンズホルダ２０とばね部材５０とを繋ぐ接着剤４０の塗布作業が行われるときに、接着剤４０の塗布作業は容易で迅速に行われる。レンズホルダ２０の略板状側壁部２０IIの上側に設けられた略矩形貫通孔状連結用固定孔部２１に、ばね部材５０の略板状舌片部５１を挿着させたのちに、略矩形貫通孔状連結用固定孔部２１の開口部２２に、例えば斜め上方から接着剤４０を塗布させることが可能となる。これにより、容易で迅速に接着剤４０の塗布作業が行われる。容易で迅速に接着剤４０の塗布作業が行われることにより、レンズ駆動装置１の組立工程や、レンズ駆動装置１を備える光ピックアップ装置の組立工程が素早く行われる。これに伴い、レンズ駆動装置１や、レンズ駆動装置１を備える光ピックアップ装置の価格低減化が図られる。
【０１３８】
また、レンズホルダ２０（図１，図２）の略板状側壁部２０IIの上側に設けられた略矩形貫通孔状連結用固定孔部２１に、ばね部材５０の略板状舌片部５１を挿着させたのちに、接着剤４０を用いて、レンズホルダ２０を構成する略板状側壁部２０IIの上側の略矩形貫通孔状した連結用固定孔部２１に、ばね部材５０の略板状舌片部５１を固着させるときに、接着剤４０が入り込むことが可能とされた広い収容空間２４がレンズホルダ２０の略板状側壁部２０II上側の連結用固定孔部２１内に確保されているので、レンズホルダ２０を構成する略板状側壁部２０IIの上側の連結用固定孔部２１に、十分な量の接着剤４０が確実に塗布される。
【０１３９】
図２の如く、ばね部材５０の略板状舌片部５１が挿着されたレンズホルダ２０の略矩形貫通孔状連結用固定孔部２１の開口部２２に、接着剤４０が略点付け状態で備えられる。詳しく説明すると、ばね部材５０の略板状舌片部５１が挿着されたレンズホルダ２０の略矩形貫通孔状連結用固定孔部２１の開口部２２に、接着剤４０が略点付け状態で付着・固化される。
【０１４０】
図１および図２に示すレンズ駆動装置１のばね部材５０の取付構造が構成されていれば、モータアセンブリ２００からばね部材５０を介してコリメータレンズ１０を有するレンズホルダ２０に伝えられる振動は、接着剤４０により略無くされ易くなる。ばね部材５０の略板状舌片部５１が挿着されたレンズホルダ２０の略矩形貫通孔状連結用固定孔部２１の開口部２２に接着剤４０が略点付け状態で付着・固化され、付着・固化された略点付け
状態の接着剤４０がモータアセンブリ２００から生じた振動を適度に吸収するので、コリメータレンズ１０を有するレンズホルダ２０に伝えられる振動は、接着剤４０により略無くされる。
【０１４１】
また、図２の如く、レンズホルダ２０の略板状側壁部２０IIの上側に設けられた略矩形貫通孔状連結用固定孔部２１に、ばね部材５０の略板状舌片部５１を挿着させたのちに、略矩形貫通孔状連結用固定孔部２１の開口部２２の一ヶ所のみに、接着剤４０を略点付け状態で付着・固化させる。この場合、ばね部材５０とスクリューナット６０とを繋ぐための接着剤は、ばね部材５０とスクリューナット６０との間に塗布されない。ばね部材５０とレンズホルダ２０とを繋ぐために、ばね部材５０とレンズホルダ２０との間に、接着剤４０を一ヶ所のみ塗布させることにより、必要最小限の量の接着剤４０だけの使用で済むこととなり、接着剤４０の無駄が減らされる。従って、レンズ駆動装置１や、レンズ駆動装置１を備える光ピックアップ装置の価格低減化が図られる。
【０１４２】
また、ばね部材５０とレンズホルダ２０とを繋ぐために、ばね部材５０とレンズホルダ２０との間に、接着剤４０を一ヶ所のみ塗布させることにより、接着剤４０の塗布作業が迅速に行われる。接着剤４０の塗布工程が迅速に行われることにより、レンズ駆動装置１の組立工程や、レンズ駆動装置１を備える光ピックアップ装置の組立工程が効率よく行われることとなり、レンズ駆動装置１の組立工程や、レンズ駆動装置１を備える光ピックアップ装置の組立工程が迅速化される。また、これに伴い、レンズ駆動装置１や、レンズ駆動装置１を備える光ピックアップ装置の価格が低く抑えられ易くなる。
【０１４３】
ばね部材５０（図１，図２）として、略薄肉状をした一枚の略板状金属素材（図示せず）に打抜き・折曲げ加工等のプレス加工が行われて形成された略薄肉状の金属製の板ばね部材５０が用いられている。板ばね部材５０は、略板ばね状をした平板部５０ａを有する。
【０１４４】
ばね部材５０として略板ばね状をした平板部５０ａを有する略薄肉状の金属製の板ばね部材５０が用いられることにより、ステッピングモータアセンブリ２００のステッピングモータ１００が停止したのちに振動が僅かな間レンズホルダ２０に残るということは回避され易くなる。モータアセンブリ２００が駆動しているときや駆動停止した直後に、モータアセンブリ２００のスクリューナット６０から板ばね部材５０を介してコリメータレンズ１０を有するレンズホルダ２０に伝えられる振動は、略薄肉状をした金属製の板ばね部材５０の平板部５０ａにより確実に減衰される。
【０１４５】
板ばね部材５０は、弾性特性に優れる金属材料が用いられて形成される。具体的に説明すると、強度、ばね特性、耐食性などに優れ、導体として利用可能な燐青銅製板材に、打抜き加工や、曲げ加工などのプレス加工が行われて、板ばね部材５０がプレス成形される。例えば銅を主成分とする金属素材板が用いられて、プレス成形機などにより、板ばね部材５０が打抜き形成される。銅（Ｃｕ）を主成分とする金属材料として、例えば、錫（Ｓｎ）を約３．５〜９重量／質量％、燐（Ｐ）を約０．０３〜０．５重量／質量％含有する銅合金が用いられることが好ましい。具体的に説明すると、銅（Ｃｕ）を主成分とし、錫（Ｓｎ）を約７〜９重量／質量％、燐（Ｐ）を約０．０３〜０．３５重量／質量％含有する銅合金として、例えば、強度、ばね特性、耐疲労性、耐食性などのよい「ばね用燐青銅」が用いられるとよい。ばね用燐青銅板材料として、例えば、「ＪＩＳ  Ｈ  ３１３０」に基づいて定められたＣ５２１０（Ｃ５２１０Ｐ），Ｃ５２１２（Ｃ５２１２Ｐ）等が挙げられる。
【０１４６】
また、燐青銅に代えて、例えば耐食性に優れるステンレス（ＳＵＳ）が用いられて板ばね部材（５０）が形成されてもよい。燐青銅、ステンレス等の金属製板ばね部材（５０）
が用いられることにより、例えば大きい振動成分が減衰される。
【０１４７】
接着剤４０として、対象物に容易で迅速に点付け塗布可能な合成重合体製の接着剤４０が用いられている。
【０１４８】
合成重合体製の接着剤４０が用いられて、コリメータレンズ１０を有するレンズホルダ２０またはモータアセンブリ２００を構成するスクリューナット６０の何れか一方または両方と、ばね部材５０とが繋げられていれば、モータアセンブリ２００が停止したのちに振動が僅かな間レンズホルダ２０に残るということは回避される。モータアセンブリ２００が駆動しているときや駆動停止した直後に、モータアセンブリ２００のスクリューナット６０からばね部材５０を介してコリメータレンズ１０を有するレンズホルダ２０に伝えられる振動は、コリメータレンズ１０を有するレンズホルダ２０またはモータアセンブリ２００を構成するスクリューナット６０の何れか一方または両方と、ばね部材５０とを繋ぐ合成重合体製の接着剤４０により、確実に吸収される。
【０１４９】
また、対象物に容易で迅速に点付け塗布可能な合成重合体製の接着剤４０が用いられることにより、コリメータレンズ１０を有するレンズホルダ２０またはモータアセンブリ２００を構成するスクリューナット６０の何れか一方または両方と、ばね部材５０とを繋ぐために行われる接着剤４０の塗布作業は、容易で迅速に実行される。
【０１５０】
接着剤として、光などの電子線が照射されることで硬化する電子線硬化型接着剤が用いられている。具体的に説明すると、接着剤として、紫外線が照射されることで硬化する紫外線硬化型接着剤が用いられている。
【０１５１】
これにより、ばね部材５０は、コリメータレンズ１０を有するレンズホルダ２０またはモータアセンブリ２００を構成するスクリューナット６０の何れか一方または両方に精度よく迅速に固定される。コリメータレンズ１０を有するレンズホルダ２０またはモータアセンブリ２００を構成するスクリューナット６０の何れか一方または両方に対するばね部材５０の接着作業は速やかに行われる。従って、レンズ駆動装置１の組立工程における接着工程が迅速化される。紫外線硬化型接着剤などの電子線硬化型接着剤が用いられることにより、レンズ駆動装置１の組立方法は、効率よく迅速に行われる。また、これに伴って、レンズ駆動装置１の価格低減化が図られる。また、これに伴って、レンズ駆動装置１を備える光ピックアップ装置の価格低減化が図られる。
【０１５２】
電子線硬化型接着剤の一種とされる紫外線硬化型接着剤として、例えば、米国ＮＯＲＬＡＮＤ社製：光学ＵＶ接着剤ＮＯＡ６０，ＮＯＡ８３Ｈ等が挙げられる。光学ＵＶ接着剤ＮＯＡ６０，ＮＯＡ８３Ｈ等の紫外線硬化型接着剤は、アクリル系のものとされ、一液性の紫外線硬化型接着剤とされている。アクリル系の紫外線硬化型接着剤は、硬化時間が短く数秒単位で硬化可能なものとされている。「ＵＶ」とは、「ultraviolet」を意味する。また、「ultraviolet radiation」は、「紫外線」を意味する。紫外線硬化型接着剤は、ＵＶ硬化型接着剤などと呼ばれている。
【０１５３】
また、電子線硬化型接着剤の一種とされる紫外線硬化型接着剤として、例えば、米国ＥＭＩ社製：商品名「ＯＰＴＯＣＡＳＴ」シリーズのもの等が挙げられる。具体的な紫外線硬化型接着剤としては、米国ＥＭＩ社製：ＯＰＴＯＣＡＳＴ３４００，ＯＰＴＯＣＡＳＴ３４１５等が挙げられる。ＯＰＴＯＣＡＳＴ３４００，ＯＰＴＯＣＡＳＴ３４１５等の紫外線硬化型接着剤は、エポキシ系のものとされ、一液性の紫外線硬化型接着剤とされている。エポキシ系の紫外線硬化型接着剤は、低収縮性で高耐熱性のものとされ、耐薬品性、耐湿性に優れるものとされている。一液性の紫外線硬化型接着剤が用いられることにより、二液性の紫外線硬化型接着剤が使用されるときに行われる液と液との混合作業が不要と
なる。従って、接着剤の塗布工程は、迅速で効率的に行われる。
【０１５４】
レンズ駆動装置１の設計／仕様などや、レンズ駆動装置１を備える光ピックアップ装置の設計／仕様などにより、例えば二液性の紫外線硬化型接着剤が用いられて接着工程が行われたものも使用可能とされる。二液性の紫外線硬化型接着剤として、例えば二液性エポキシ系の紫外線硬化型接着剤などが挙げられる。アクリル系接着剤、エポキシ系接着剤などの重合体系接着剤が用いられることにより、例えば高い振動成分が吸収される。
【０１５５】
また、合成樹脂材料が用いられてコリメータレンズ１０が形成されることにより、コリメータレンズ１０の軽量化が図られる。略凸レンズ状をした合成樹脂製コリメータレンズ１０は、射出成形法に基づいて効率よく大量生産される。コリメータレンズ１０の大量生産が可能となることにより、コリメータレンズ１０の価格低減化が図られる。
【０１５６】
例えば、材料としてガラスが用いられて曲面状凸レンズ（図示せず）が形成された場合、凸レンズの軽量化が図られ難いことが懸念される。しかしながら、透明もしくは半透明の合成樹脂材料が用いられ大量生産性に優れる射出成形法に基づいてコリメータレンズ１０が製作されることにより、コリメータレンズ１０の製造／加工が容易に行われてコリメータレンズ１０の価格低減化が図られると共に、軽いレンズ１０が形成される。
【０１５７】
合成樹脂材料が用いられて射出成形法に基づきコリメータレンズ１０が形成されることにより、レンズ駆動機構１は、例えば軽量化されると共に、価格低減化が可能とされたレンズ駆動機構１として構成される。射出成形法に基づいて合成樹脂製コリメータレンズ１０が形成されたのちに、合成樹脂製コリメータレンズ１０を有するレンズホルダ２０を備えたレンズ駆動機構１が構成されることにより、軽量化されると共に、コストダウンが可能とされたレンズ駆動機構１の提供が可能となる。
【０１５８】
例えば、射出成形が可能であって透明または半透明をした熱可塑性の耐熱性合成樹脂材料が用いられて、レンズ１０が形成される。詳しく説明すると、レンズ１０は、例えば、耐候性、鏡面平滑性、精度などに優れ、透明度の高いアクリル／メタクリル系樹脂を基材とした組成物が用いられて形成される。メタクリル樹脂の正式名称は、ポリメチルメタクリレート（polymethyl methacrylate）であり、ポリメチルメタクリレートは例えばＰＭＭＡと略称される。また、メタクリル樹脂は、アクリル樹脂と呼ばれることもある。また、レンズ（１０）は、例えば、加工性などに優れ、価格低減化が図られるポリカーボネート系樹脂を基材とした組成物が用いられて形成される。ポリカーボネート（polycarbonate）は、例えばＰＣと略称される。
【０１５９】
レンズ１０は、例えばＰＭＭＡ系樹脂を基材とした組成物が用いられて形成される。ＰＭＭＡを基材とした組成物として、例えば三菱レイヨン社製：アクリペット（登録商標）等が挙げられる。具体的なＰＭＭＡとして、例えば、三菱レイヨン社製：アクリペットＶＨ００１，Ｖ００１等が挙げられる。例えば、三菱レイヨン社製：アクリペットＶＨ００１，Ｖ００１の比重は、略１．１９とされている。合成樹脂材料を基材とした組成物等の比重は、例えば、「ＡＳＴＭ  Ｄ７９２」、「ＩＳＯ１１８３」、「ＪＩＳ  Ｋ  ７１１２」に基づいた試験方法により求められる。また、例えば「ＪＩＳ  Ｋ  ７３６１」に基づいた試験方法による三菱レイヨン社製：アクリペットＶＨ００１の全光線透過率は、略９２．５％とされている。また、例えば「ＪＩＳ  Ｋ  ７３６１」に基づいた試験方法による三菱レイヨン社製：アクリペットＶ００１の全光線透過率は、略９３％とされている。
【０１６０】
また、レンズ１０は、例えばＰＣを基材とした組成物が用いられて形成される。ＰＣを基材とした組成物として、例えば帝人社製：パンライト（登録商標）等が挙げられる。具
体的なＰＣとして、例えば帝人社製：パンライトＡＤ−５５０３等が挙げられる。例えば帝人社製：パンライトＡＤ−５５０３の比重は、略１．２とされている。また、例えば「ＡＳＴＭ  Ｄ  １００３」（厚さ３ｍｍ）に基づいた試験方法による帝人社製：パンライトＡＤ−５５０３の光線透過率は、略８９％とされている。
【０１６１】
射出成形が可能であって透明または半透明をした熱可塑性の耐熱性合成樹脂材料が用いられてレンズ１０が形成されていれば、レンズ駆動機構１の応答特性は、向上される。樹脂材料は、例えば金属材料よりも比重が小さく軽量化に適した材料とされている。例えばガラスの比重が略２．２〜２．８とされ、鉛ガラスの比重が略３．４〜４．２８とされているのに対し、例えばＰＭＭＡの比重は略１．１６〜１．２とされている。また、例えばＰＣの比重は略１．２、充填剤入りＰＣの比重は略１．４〜１．４３とされている。射出成形が可能であって透明または半透明をした熱可塑性の耐熱性合成樹脂材料が用いられてレンズ１０が形成されていれば、レンズ１０の軽量化が図られる。合成樹脂材料が用いられてレンズ１０が形成されることにより、レンズ１０を備えるレンズホルダ２０の軽量化が図られ、その結果、レンズホルダ２０は、動き易いものとなる。レンズホルダ２０が軽量化されて動き易いものとなるので、レンズホルダ２０を備えるレンズ駆動機構１の応答特性が向上される。
【０１６２】
また、レンズ１０を形成している透明性合成樹脂材料の光の透過率または透明度は、例えば略８０％以上１００％以下、好ましくは略８５％以上１００％以下、より好ましくは略８８％以上１００％以下とされる。例えば、レンズ１０を形成している透明性合成樹脂材料の光の透過率または透明度が略８０％未満の低い値とされた場合、レンズ１０を透過する光の効率が低下されるので好ましくない。例えば、レンズ１０を形成している透明性合成樹脂材料の光の透過率または透明度が好ましくは略８５％以上より好ましくは略８８％以上の高い値とされていれば、レンズ１０を透過する光の効率低下が回避され易くなる。光の透過率または透明度が高い値の透明性合成樹脂材料を含む組成物が用いられてレンズ１０が形成されることが好ましい。例えば、レンズ１０を形成している透明性合成樹脂材料の光の透過率または透明度は、略１００％の値もしくは略１００％近傍の値とされることが理想とされる。
【０１６３】
レンズ駆動装置１の設計／仕様などや、レンズ駆動装置１を備える光ピックアップ装置の設計／仕様などにより、半透明性もしくは透明性合成樹脂材料に代えて、例えば光の透過率または透明度が略８０％以上１００％以下の半透明性もしくは透明性ガラス材料が用いられてレンズ１０が形成されてもよい。
【０１６４】
また、射出成形が可能であって熱可塑性の耐熱性合成樹脂材料が用いられて、保持部材２０が形成される。また、射出成形が可能であって熱可塑性の耐熱性合成樹脂材料が用いられて、雌ねじ６０が形成される。
【０１６５】
具体的に説明すると、レンズホルダ２０および／またはスクリューナット６０は、例えば、機械的特性、摺動特性、寸法安定性、耐熱性、射出成形性、絶縁特性などの電気的特性などに優れ、さらに鉄材などよりも軽量化が可能とされるポリフェニレンサルファイド樹脂（poly phenylene sulfide：ＰＰＳ）等のポリアリーレンサルファイド（poly arylene sulfide：ＰＡＳ）系樹脂を基材とした組成物が用いられて形成される。
【０１６６】
ＰＰＳを基材とした組成物として、例えばＤＩＣ（ディーアイシー、旧社名：大日本インキ化学工業）社製：ＤＩＣ（登録商標）等が挙げられる。具体的なＰＰＳを基材とした組成物として、例えば、非強化のリニア型ＰＰＳとされるＤＩＣ社製：「ＤＩＣ・ＰＰＳ
ＦＺ−２１００」、ガラス繊維３０％強化のリニア型ＰＰＳとされるＤＩＣ社製：「ＤＩＣ・ＰＰＳ  ＦＺ−２１３０」、ガラス繊維４０％強化の架橋型ＰＰＳとされるＤＩＣ
社製：「ＤＩＣ・ＰＰＳ  ＦＺ−１１４０−Ｄ９」等が挙げられる。例えばＤＩＣ社製：「ＤＩＣ・ＰＰＳ  ＦＺ−２１００」の比重は、略１．３５とされている。また、例えばＤＩＣ社製：「ＤＩＣ・ＰＰＳ  ＦＺ−２１３０」の比重は、略１．５６とされている。また、例えばＤＩＣ社製：「ＤＩＣ・ＰＰＳ  ＦＺ−１１４０−Ｄ９」の比重は、略１．６６とされている。
【０１６７】
直鎖型ＰＰＳ（リニア型ＰＰＳ）組成物により形成された成形体は、例えば伸びが大きく靭性が良い。これに対し、架橋型ＰＰＳ組成物により形成された成形体は、例えば直鎖型ＰＰＳ組成物により形成された成形体に比べて弾性率が高い。また、半架橋型ＰＰＳ組成物により形成された成形体は，例えば、直鎖型ＰＰＳ組成物により形成された成形体の特性と、架橋型ＰＰＳ組成物により形成された成形体の特性との両方の特性を併せ持つ。
【０１６８】
また、レンズホルダ２０および／またはスクリューナット６０は、例えば、強度特性、摺動特性、耐熱性、射出成形性に優れ、さらに鉄材などよりも軽量化が可能とされるポリエーテルエーテルケトン樹脂などのケトン系樹脂を基材とした組成物が用いられて形成される。ケトン系樹脂として、例えば、ポリエーテルエーテルケトン系樹脂、ポリアリールエーテルケトン系樹脂などが挙げられる。ポリエーテルエーテルケトン（polyetheretherketone）は、例えばＰＥＥＫ（登録商標）と略称される。またポリアリールエーテルケトン（polyaryletherketone）は、例えばＰＡＥＫと略称される。
【０１６９】
ＰＥＥＫ材料を基材とした組成物として、例えば英国ビクトレックス社製／ビクトレックスジャパン（旧名：ビクトレックス・エムシー）社販売：「ＶＩＣＴＲＥＸ（登録商標）ＰＥＥＫ（登録商標）」などが挙げられる。また、ＶＩＣＴＲＥＸ（登録商標）の商品として、例えば、「ＶＩＣＴＲＥＸ  ＰＥＥＫ  ４５０Ｇ」、「ＶＩＣＴＲＥＸ  Ｍ１０００」、「ＶＩＣＴＲＥＸ  Ｍ２０００」等が挙げられる。例えば英国ビクトレックス社製／ビクトレックスジャパン社販売：「ＶＩＣＴＲＥＸ  ＰＥＥＫ  ４５０ＧＬ３０」の比重は、略１．５１とされている。また、例えば英国ビクトレックス社製／ビクトレックスジャパン社販売：「ＶＩＣＴＲＥＸ  Ｍ１０００」の比重は、略１．３５とされている。また、例えば英国ビクトレックス社製／ビクトレックスジャパン社販売：「ＶＩＣＴＲＥＸ  Ｍ２０００」の比重は、略１．３７とされている。
【０１７０】
また、レンズホルダ２０および／またはスクリューナット６０は、例えば、薄肉成形性に優れると共に耐熱性等に優れ、また射出成形性に優れ、さらに鉄材などよりも軽量化が可能とされる液晶ポリマ（ＬＣＰ：liquid crystal polymer）を基材とした組成物が用いられて形成される。液晶ポリマとして、例えば耐熱性に優れる全芳香族系液晶樹脂などが挙げられる。
【０１７１】
また、耐熱性に優れるタイプＩの液晶ポリマを基材とした組成物として、例えば住友化学社製：スミカスーパー（登録商標）等が挙げられる。また、スミカスーパー（登録商標）の商品として、例えば、Ｅ５００８Ｌ，Ｅ６００８等が挙げられる。例えば住友化学社製：「スミカスーパーＥ５００８Ｌ」の比重は、略１．６９とされている。また、例えば住友化学社製：「スミカスーパーＥ６００８」の比重は、略１．７とされている。
【０１７２】
また、耐熱性に優れるタイプＩの液晶ポリマとして、例えば新日本石油社製：ザイダー（登録商標）等が挙げられる。また、ザイダー（登録商標）の商品として、例えば、３００シリーズ、４００シリーズ、ＲＣ，ＦＣシリーズ等が挙げられる。詳しく説明すると、ザイダー（登録商標）の商品として、例えば、グレードＭ−３５０、グレードＭ−４５０、グレードＦＣ−１１０、グレードＦＣ−１２０等が挙げられる。例えば新日本石油社製：ザイダー「グレードＭ−３５０」および「グレードＭ−４５０」の比重は、略１．８４とされている。また、例えば新日本石油社製：ザイダー「グレードＦＣ−１１０」の比重
は、略１．７とされている。
【０１７３】
また、タイプIIの液晶ポリマを基材とした組成物として、例えばポリプラスチックス社製：ベクトラ（登録商標）等が挙げられる。また、ベクトラ（登録商標）の商品として、例えば、グレードＡ４１０，Ｓ４７１等が挙げられる。例えばポリプラスチックス社製：ベクトラ「グレードＡ４１０」の比重は、略１．８４とされている。また、例えばポリプラスチックス社製：ベクトラ「グレードＳ４７１」の比重は、略１．７７とされている。
【０１７４】
タイプＩ、タイプIIのＬＣＰは、例えば全芳香族液晶ポリエステルとされている。タイプＩ等のＬＣＰは、例えば薄肉成形性に優れると共に耐熱性に優れているので、例えばレンズホルダ２０等を形成させるときの材料として好適な材料とされている。
【０１７５】
保持部材（２０）もしくは雌ねじ（６０）の何れか一方または両方は、例えば、ＬＣＰ、ＰＰＳおよびＰＥＥＫからなる群から選ばれる少なくとも一種以上の射出成形が可能な熱可塑性の耐熱性合成樹脂材料を含む組成物が用いられて形成される。光学部材駆動装置（１）の設計／仕様などにより、例えば、ＬＣＰまたはＰＰＳからなる群から選ばれる少なくとも一種以上の射出成形が可能な熱可塑性の耐熱性合成樹脂材料を含む組成物が用いられて、保持部材（２０）もしくは雌ねじ（６０）の何れか一方または両方が形成されてもよい。また、光学部材駆動装置（１）の設計／仕様などにより、例えば、ＰＰＳまたはＰＥＥＫからなる群から選ばれる少なくとも一種以上の射出成形が可能な熱可塑性の耐熱性合成樹脂材料を含む組成物が用いられて、保持部材（２０）もしくは雌ねじ（６０）の何れか一方または両方が形成されてもよい。また、光学部材駆動装置（１）の設計／仕様などにより、例えば、ＰＥＥＫまたはＬＣＰからなる群から選ばれる少なくとも一種以上の射出成形が可能な熱可塑性の耐熱性合成樹脂材料を含む組成物が用いられて、保持部材（２０）もしくは雌ねじ（６０）の何れか一方または両方が形成されてもよい。
【０１７６】
射出成形が可能であって熱可塑性の耐熱性合成樹脂材料が用いられて、保持部材２０が形成されると共に、射出成形が可能であって熱可塑性の耐熱性合成樹脂材料が用いられて、雌ねじ６０が形成されていれば、光学部材駆動装置１の応答特性は、向上される。樹脂材料は、例えば金属材料よりも比重が小さく軽量化に適した材料とされている。例えば鉄の比重が略７．８５〜７．８７とされているのに対し、例えばＰＰＳの比重は略１．３５〜１．４２とされ、充填剤入りＰＰＳの比重は略１．５６〜２とされている。また、例えばＰＥＥＫの比重は略１．３とされ、充填剤入りＰＥＥＫの比重は略１．４〜１．５５とされている。また、例えばＬＣＰの比重は略１．２７〜１．４とされ、充填剤入りＬＣＰの比重は略１．５５〜１．９６とされている。射出成形が可能であって熱可塑性の耐熱性合成樹脂材料を含む組成物が用いられて、保持部材２０および雌ねじ６０が形成されていれば、保持部材２０および雌ねじ６０の軽量化が図られる。
【０１７７】
合成樹脂材料が用いられて光学部材１０ならびに保持部材２０が形成されることにより、光学部材１０を備える保持部材２０の軽量化が図られ、その結果、光学部材１０を備える保持部材２０は、動き易いものとなる。軽量化された光学部材１０を備える保持部材２０が支持部材３１，３２によって支持されていれば、支持部材３１，３２上において、光学部材１０を備える保持部材２０は、動き易いものとなる。また、合成樹脂材料を含む組成物が用いられて保持部材２０が形成されていれば、金属製支持部材３１，３２に対する保持部材２０の摺動特性が向上される。光学部材１０を備える保持部材２０が軽量化されると共に保持部材２０の摺動特性が向上されることにより、光学部材駆動装置１の応答特性が向上される。
【０１７８】
また、合成樹脂材料が用いられて雌ねじ６０が形成されることにより、雌ねじ６０の軽量化が図られ、その結果、雌ねじ６０は、動き易いものとなる。軽量化された雌ねじ６０
が送りねじ７０によって支持されていれば、送りねじ７０上において、雌ねじ６０は、動き易いものとなる。また、合成樹脂材料を含む組成物が用いられて雌ねじ６０が形成されていれば、金属製送りねじ７０に対する雌ねじ６０の摺動特性が向上される。雌ねじ６０が軽量化されると共に雌ねじ６０の摺動特性が向上されることにより、光学部材駆動装置１の応答特性が向上される。
【０１７９】
光学部材１０、保持部材２０および雌ねじ６０などの光学部材駆動装置１を構成する各部品は、成形性に優れる熱可塑性の耐熱性合成樹脂材料が用いられて、大量生産性に優れる射出成形法に基づき形成されている。射出成形法に基づいて、光学部材１０、保持部材２０および雌ねじ６０などの光学部材駆動装置１を構成する各部品が形成されていれば、これらが複雑な形状とされていても効率よくこれらの大量生産が可能となる。
【０１８０】
また、光学部材１０、保持部材２０および雌ねじ６０などの光学部材駆動装置１を構成する各部品は、例えば比重が略０．８以上２．２未満、具体的には比重が略０．８以上２以下、より具体的には比重が略０．８３以上１．９８以下であって、射出形成が可能とされた熱可塑性の耐熱性合成樹脂材料を含む組成物が用いられて形成される。
【０１８１】
比重が略２．２未満の射出形成が可能な熱可塑性の耐熱性合成樹脂材料を含む組成物が用いられて、光学部材１０、保持部材２０および雌ねじ６０などの光学部材駆動装置１を構成する各部品が形成されていれば、光学部材駆動装置１の軽量化が図られ易くなる。具体的に説明すると、比重が略２以下の射出形成が可能な熱可塑性の耐熱性合成樹脂材料を含む組成物が用いられて、光学部材１０、保持部材２０および雌ねじ６０などの光学部材駆動装置１を構成する各部品が形成されていれば、光学部材駆動装置１の軽量化が図られることとなる。光学部材１０、保持部材２０および雌ねじ６０等を含む可動部材などの各部品が軽量化されることにより、応答特性が向上された光学部材駆動装置１が構成される。
【０１８２】
また、光学部材１０、保持部材２０等を含む可動部材などの各部品が軽量化されることにより、光学部材１０を備える保持部材２０が支持部材３１，３２の長手方向Ｌに略沿って繰返し往復高速駆動させられるときに、連結部材５０の略板ばね状平板部５０ａの幅狭な略矩形平板状連接部５３にかけられる負荷が軽減される。また、光学部材１０、保持部材２０および雌ねじ６０等を含む可動部材などの各部品が軽量化されることにより、連結部材５０によって繋げられた雌ねじ６０および光学部材１０を備える保持部材２０が左右方向ＬもしくはＳに略沿って繰返し往復高速駆動させられるときに、電動機１００にかけられる負荷が軽減される。
【０１８３】
例えば比重が略２．２以上の大きい比重の組成物が用いられて、光学部材１０、保持部材２０等を含む可動部材などの各部品が形成された場合、光学部材１０を備える保持部材２０の動作特性が低下し、また、連結部材５０の略板ばね状平板部５０ａの幅狭な略矩形平板状連接部５３にかけられる負荷が増すので好ましくない。また、例えば比重が略２．２以上の大きい比重の組成物が用いられて、光学部材１０、保持部材２０、雌ねじ６０等を含む可動部材などの各部品が形成された場合、電動機１００にかけられる負荷が増すので好ましくない。
【０１８４】
具体的に説明すると、例えば比重が略２を超える大きい比重の組成物が用いられて、光学部材１０、保持部材２０等を含む可動部材などの各部品が形成された場合、光学部材１０を備える保持部材２０の動作特性が低下し、また、連結部材５０の略板ばね状平板部５０ａの幅狭な略矩形平板状連接部５３にかけられる負荷が増すので好ましくない。また、例えば比重が略２を超える大きい比重の組成物が用いられて、光学部材１０、保持部材２０、雌ねじ６０等を含む可動部材などの各部品が形成された場合、電動機１００にかけら
れる負荷が増すので好ましくない。光学部材１０、保持部材２０、雌ねじ６０等を含む可動部材などの各部品を形成する組成物の比重は、小さいことが好ましい。
【０１８５】
比重が略２近傍であって、射出形成が可能とされた熱可塑性の耐熱性合成樹脂材料を含む組成物として、例えば充填剤が多く混入されたＰＰＳなどが挙げられる。比重が略２近傍の充填剤入りＰＰＳとして、例えば直鎖型ＰＰＳ（リニア型ＰＰＳ）とされるポリプラスチックス社製：フォートロン（登録商標）６１６５Ａ６等が挙げられる。フォートロン６１６５Ａ６の比重は略１．９８とされている。また、比重が略２近傍の充填剤入りＰＰＳとして、例えば架橋型ＰＰＳとされるＤＩＣ社製：「ＤＩＣ・ＰＰＳ  ＦＺ−３６００−Ｌ４」等が挙げられる。「ＤＩＣ・ＰＰＳ  ＦＺ−３６００−Ｌ４」の比重は略２とされている。
【０１８６】
また、射出形成が可能な熱可塑性の耐熱性合成樹脂材料のなかで、最も軽い合成樹脂材料／組成物の比重は、例えば一般的に略０．８程度とされる。比重が略０．８近傍であって射出形成が可能とされた熱可塑性の耐熱性合成樹脂材料／組成物として、例えば、透明性、耐熱性などに優れるポリメチルペンテン（Polymethylpentene）などが挙げられる。例えばポリメチルペンテンの比重は略０．８３〜０．８４とされている。ポリメチルペンテンとして、例えば、三井化学社製：ＴＰＸ（登録商標）ＲＴ１８，ＲＴ３１，ＤＸ８２０等が挙げられる。「ＴＰＸ」は、「Transparent Polymer X」の略称とされている。
【０１８７】
例えば三井化学社製：ＴＰＸ（登録商標）ＲＴ１８，ＲＴ３１，ＤＸ８２０の比重は、略０．８３３とされている。また、例えば「ＡＳＴＭ  Ｄ  １７４６」に基づいた試験方法による三井化学社製：ＴＰＸ（登録商標）ＲＴ１８の透明度は、略９４％とされている。また、例えば「ＡＳＴＭ  Ｄ  １７４６」に基づいた試験方法による三井化学社製：ＴＰＸ（登録商標）ＲＴ３１，ＤＸ８２０の透明度は、略９３％とされている。
【０１８８】
また、支持部材３１，３２，送りねじ７０の形成材料として、例えば、「ＪＩＳ  Ｇ  ４３０４」に基づいて定められた「熱間仕上ステンレス鋼棒」が挙げられる。また、支持部材３１，３２，送りねじ７０の形成材料として、例えば、「ＪＩＳ  Ｇ  ４３１８」に基づいて定められた「冷間成形ステンレス鋼棒」が挙げられる。
【０１８９】
具体的なステンレス材料として、クロム（Ｃｒ）が約１６〜１８重量／質量％含有されると共にニッケル（Ｎｉ）が約６〜８重量／質量％含有され加工性に優れるオーステナイト系ステンレス鋼（例：ＳＵＳ３０１）等が挙げられる。また、具体的なステンレス材料として、クロム（Ｃｒ）が約１３〜１９重量／質量％含有されると共に硫黄（Ｓ）とリン（Ｐ）とが少量含有され快削性に優れるオーステナイト系ステンレス鋼（例：ＳＵＳ３０３）等が挙げられる。また、具体的なステンレス材料として、クロム（Ｃｒ）が約１８〜２０重量／質量％含有されると共にニッケル（Ｎｉ）が約８〜１０．５重量／質量％含有されて非磁性とされると共に耐食性に優れるオーステナイト系ステンレス鋼（例：ＳＵＳ３０４）等が挙げられる。オーステナイト系ステンレス鋼は、非磁性とされていることから、オーステナイト系ステンレス鋼材が用いられて支持部材３１，３２，送りねじ７０が形成されていれば、例えば光ピックアップ装置、光ディスク装置等に磁気による悪影響が及ぼされるということは回避され易くなる。また、上記ＳＵＳ３０４は、クロム（Ｃｒ）が含有されると共にニッケル（Ｎｉ）が含有されることから、クロム−ニッケル系ステンレス鋼などと呼ばれる。
【０１９０】
図１および図２に示す上記レンズ駆動装置１が構成されることにより、例えばステッピングモータアセンブリ２００のステッピングモータ１００に停止指示信号を送信させてステッピングモータ１００を急停止させても、レンズホルダ２０に装備されたコリメータレンズ１０の振動は、例えば略０ｍｓｅｃを超え略１０ｍｓｅｃ以内という非常に短い時間
内で略おさまる。従って、多層化光ディスクの何れかの信号層にレーザ光を照射させて多層化光ディスクの何れかの信号層に光スポットを形成させるときに、頻繁に光スポットの層間ジャンプを実行させても、多層化光ディスクの各信号層に照射されるレーザ光の光スポットの球面収差補正は迅速に行われる。
【０１９１】
例えばスピーディーなゲームソフトが記録されている多層化光ディスクに対応するために、モータアセンブリ２００のステッピングモータ１００を回転駆動させて、コリメータレンズ１０を有するレンズホルダ２０を光軸方向Ｌに略沿って移動／停止させたときに、多層化光ディスクの各信号層に照射される光スポットの層間ジャンプが実行されたときのコリメータレンズ１０の振動収拾時間は、例えば限りなく略０ｍｓｅｃに近づけられることが理想とされる。モータアセンブリ２００のステッピングモータ１００を回転駆動させ、コリメータレンズ１０を有するレンズホルダ２０を光軸方向Ｌに略沿って移動／停止させて、多層化光ディスクの各信号層に照射される光スポットの層間ジャンプを実行させたときに、コリメータレンズ１０の振動収拾時間が１０ｍｓｅｃ以内とされることにより、光スポットの層間ジャンプが頻繁に行われても、スピーディーなゲームの進行が妨げられることなく、円滑にスピーディーなゲームが進行される。
【０１９２】
図１および図２に示す上記レンズ駆動装置１などが不図示のハウジングに備えられることにより、不図示の光ピックアップ装置が構成される。
【０１９３】
上記レンズ駆動装置１を備える不図示の光ピックアップ装置が構成されることにより、多層化光ディスクの各信号層に照射される光スポットの層間ジャンプを確実かつ迅速に実行可能な光ピックアップ装置が実現される。光ピックアップ装置から多層化光ディスクの何れかの信号層にレーザ光を照射させて多層化光ディスクの何れかの信号層に光スポットを形成させるときに、頻繁に光スポットの層間ジャンプを実行させても、多層化光ディスクの各信号層に照射されるレーザ光の光スポットの球面収差補正は迅速に行われ易くなる。
【０１９４】
図１および図２に示すレンズ駆動装置１およびそれを備える光ピックアップ装置には、スクリューナット６０用の位置合せセンサ（図示せず）が装備されていない。そのため、例えばレンズ駆動装置１付の光ピックアップ装置を備えた光ディスク装置などの電源が入れられて、レンズ駆動装置１、光ピックアップ装置、光ディスク装置などが電源ＯＮの初期状態とされたときに、レンズ駆動装置１のモータアセンブリ２００を構成するステッピングモータ１００の脱調対応処理、初期位置出し処理等が行われる。脱調とは、例えばモータドライバ（図示せず）に入力されるパルス信号にモータが追従できなくなる現象等を意味する。
【０１９５】
モータアセンブリ２００のステッピングモータ１００の脱調対応処理、初期位置出し処理等が行われるときの状態について詳しく説明する。レンズ駆動装置１、光ピックアップ装置、光ディスク装置などが電源ＯＮの初期状態とされたときに、ステッピングモータ１００に電気が流されてステッピングモータ１００が回動され、これに伴ってステッピングモータ１００に続くリードスクリュー７０が回動される。
【０１９６】
リードスクリュー７０の回動により、リードスクリュー７０に移動可能に螺合されたスクリューナット６０は、例えばステッピングモータ１００に固定されたブラケット９０の一端側とされる第一側板部９１に向けて移動させられてゆく。スクリューナット６０に装備された板ばね部材５０の抱持部５２の一端側とされる第一側板部５６が、ブラケット９０の一端側とされる第一側板部９１に当接されて、ステッピングモータ１００の回動が暫く停止させられることにより、ステッピングモータ１００の脱調対応処理、初期位置出し処理等が行われる。
【０１９７】
又は、リードスクリュー７０の回動により、リードスクリュー７０に移動可能に螺合されたスクリューナット６０は、例えばステッピングモータ１００に固定されたブラケット９０の他端側とされる第二側板部９２に向けて移動させられてゆく。スクリューナット６０に装備された板ばね部材５０の抱持部５２の他端側とされる第二側板部５７が、ブラケット９０の他端側とされる第二側板部９２に当接されて、ステッピングモータ１００の回動が暫く停止させられることにより、ステッピングモータ１００の脱調対応処理、初期位置出し処理等が行われる。
【０１９８】
図１および図２に示すレンズ駆動装置１およびそれを備える光ピックアップ装置には、スクリューナット６０用の位置合せセンサが装備されることなく省略されて、レンズ駆動装置１およびそれを備える光ピックアップ装置の部品点数の削減化および価格の低減化が図られているが、レンズ駆動装置１およびそれを備える光ピックアップ装置の設計／仕様等により、例えばスクリューナット６０用の不図示の位置合せセンサがレンズ駆動装置１およびそれを備える光ピックアップ装置に装備されてもよい。
【０１９９】
図１および図２に示す上記レンズ駆動装置１などが不図示のハウジングに備えられて不図示の光ピックアップ装置が構成され、不図示の光ピックアップ装置が略矩形箱状をした筐体たとえばケース（図示せず）等の内部に備えられることにより、不図示の光ディスク装置が構成される。
【０２００】
上記レンズ駆動装置１を備える不図示の光ピックアップ装置が構成されたのちに、不図示の光ピックアップ装置を備える不図示の光ディスク装置が構成されることにより、多層化光ディスクの各信号層に照射される光スポットの層間ジャンプを確実かつ迅速に実行可能な光ディスク装置が実現される。光ディスク装置から多層化光ディスクの何れかの信号層にレーザ光を照射させて多層化光ディスクの何れかの信号層に光スポットを形成させるときに、頻繁に光スポットの層間ジャンプを実行させても、多層化光ディスクの各信号層に照射されるレーザ光の光スポットの球面収差補正は迅速に行われ易くなる。
【０２０１】
上記レンズ駆動装置１、上記レンズ駆動装置１を備える光ピックアップ装置、並びに上記光ピックアップ装置を備える光ディスク装置は、上記各種光ディスクにデータ／情報／信号等を記録させたり、上記各種光ディスクのデータ／情報／信号等を再生させたりする記録・再生装置に使用可能とされる。また、上記レンズ駆動装置１、上記レンズ駆動装置１を備える光ピックアップ装置、並びに上記光ピックアップ装置を備える光ディスク装置は、上記各種光ディスクのデータ／情報／信号等を再生させる再生専用装置にも使用可能とされる。
【０２０２】
また、上記レンズ駆動装置１、上記レンズ駆動装置１を備える光ピックアップ装置、並びに上記光ピックアップ装置を備える光ディスク装置は、例えば、コンピュータ、音響／映像機器、ゲーム機、車載機（何れも図示せず）などに組み付けられる光ディスク装置に装備される。また、上記レンズ駆動装置１、上記レンズ駆動装置１を備える光ピックアップ装置、並びに上記光ピックアップ装置を備える光ディスク装置は、例えば、ノート型パーソナルコンピュータ（ＰＣ：personal computer）や、ラップトップ型ＰＣや、デスクトップ型ＰＣや、車載用コンピュータなどのコンピュータや、コンピュータゲーム機などのゲーム機や、ＣＤプレーヤ／ＣＤレコーダ、ＤＶＤプレーヤ／ＤＶＤレコーダなどの音響および／または映像機器などに装備可能とされる（何れも図示せず）。また、上記レンズ駆動装置１およびそれを備える光ピックアップ装置は、ＣＤ系光ディスク、ＤＶＤ系光ディスク、「ＨＤ  ＤＶＤ」系光ディスク、「Blu-ray Disc」系光ディスク等の複数のディスクに対応可能なものとされる。上記レンズ駆動装置１およびそれを備える光ピックアップ装置は、例えば、「ＣＤ」、「ＤＶＤ」、「ＨＤ  ＤＶＤ」、「Blu-ray Disc」など
の各種光ディスクに対応したコンピュータ、音響および／または映像機器、ゲーム機、車載機などに装備可能とされている（何れも図示せず）。
【０２０３】
以上、本発明の実施形態について説明したが、前述した実施形態は、本発明の理解を容易にするためのものであり、本発明を限定して解釈するためのものではない。本発明は、その趣旨を逸脱することなく、変更／改良され得るとともに、その等価物も含まれる。
【図面の簡単な説明】
【０２０４】
【図１】本発明に係る光学部材駆動装置の一実施の形態を示す分解斜視図である。
【図２】光学部材駆動装置を示す斜視図である。
【符号の説明】
【０２０５】
１          レンズ駆動装置（光学部材駆動装置）
２          ビームエキスパンダユニット（エキスパンダユニット）
１０        レンズ（光学部材）
２０        ホルダ（保持部材）
２０Ｉ      第一側壁部（側壁部）
２０II      第二側壁部（側壁部）
２１        固定孔部（固定部）
２２        開口部
２３ａ      傾斜挿入面部（装着促進部）
２３ｂ      切欠き部（塗布促進部）
２４        収容空間（収容部）
２５        レンズ装着部（装着部）
２６        第一摺接部（摺接部）
２７        第二摺接部（摺接部）
３１，３２  スライドシャフト（支持部材）
４０        接着剤（接合部材）
５０        ばね部材（連結部材）
５０ａ      平板部
５１        舌片部（第一取付部）
５１ａ      先端部
５１ｗ，５２ｗ，５３ｗ      幅
５２        抱持部（第二取付部）
５３        連接部（中間部）
５３ａ      括れ部
５４        位置合せ用孔部（相手側位置合せ部）
５５，９３  基板部
５６，９１  第一側板部（側板部）
５７，９２  第二側板部（側板部）
５８        係止爪部（係止部）
５８ａ      第三側板部（側板部）
５８ｂ      第四側板部（側板部）
５９        切欠き部（干渉回避部）
６０        スクリューナット（雌ねじ）
６１        下半部（半部）
６２        上半部（半部）
６３        ナット孔（ねじ孔）
６３ａ      ねじ溝部（螺旋溝部）
６４        位置合せ用突出部（位置合せ部）
６５        基準面部
６６        第一側面部（側面部）
６７        第二側面部（側面部）
６８        係合突出部（係合部）
６８ａ      第三側面部（側面部）
６８ｂ      第四側面部（側面部）
７０        リードスクリュー（送りねじ）
７１        第一端部（端部）
７２        第二端部（端部）
７３        スクリュー本体部（ねじ本体部）
７３ａ      ねじ山部（螺旋溝部）
８１，８２  ベアリング（軸受）
９０        ブラケット（取付具）
１００      モータ（電動機）
１０１      モータ本体部（本体部）
１１０      ケース（筐体）
１１１      一端部（端部）
２００      モータアセンブリ（駆動部組立体）
Ｌ          光軸方向（方向）
Ｓ          ねじ延長方向（方向）
Ｔ          ばね部材延長方向（方向）
【図１】
2009080921.tif 000003
【図２】
2009080921.tif 000004